(57)【要約】【課題】ネットワークを介したコンテンツの単純な送受信ではなく、相性の合う利用者間におけるネットワークを介した情報空間、すなわちバーチャルリビングにおいて、当該利用者間におけるコンテンツの個人的な同期視聴を行うことを可能とし、更に、当該利用者のコンテンツの無料視聴を可能にする共視聴利用者推薦システムおよび共視聴利用者推薦方法を得ること。【解決手段】端末は視聴要求をセンターに送信し、センターは当該端末の利用者と他の利用者との個人情報を照合することで他の端末を検索し、端末は検索結果に対して選択を行い、センターは当該選択にて特定される他の端末に同期視聴要求を送信し、他の端末の利用者により同期視聴要求が許可された場合、端末間でストリーミング配信によるコンテンツの同期視聴を行う。【選択図】図１７
2010093691.tif 000002
【特許請求の範囲】
【請求項１】
記憶部と制御部とを少なくとも備えたセンター装置と、出力装置に接続され記憶部と制御部と入力部とを少なくとも備えた複数の端末装置とを、通信可能に接続して構成された共視聴利用者推薦システムであって、
前記センター装置の前記記憶部は、
前記端末装置の利用者の属性に関する個人情報を記憶する個人情報記憶手段と、
前記端末装置と当該端末装置に記憶されているコンテンツとを対応付けたコンテンツ関連情報を記憶するコンテンツ関連情報記憶手段と、
を備え、
前記センター装置の前記制御部は、
前記端末装置の利用者を識別する利用者識別情報と当該利用者が視聴を所望するコンテンツを識別するコンテンツ識別情報とを含む前記端末装置から送信された視聴要求を受信する視聴要求受信手段と、
前記視聴要求受信手段にて受信された前記視聴要求に含まれている前記利用者識別情報にて特定される利用者の前記個人情報と当該利用者の前記端末装置以外の他の前記端末装置の利用者の前記個人情報とを前記個人情報記憶手段を参照しながら照合することによって、前記他の前記端末装置を選択する端末装置選択手段と、
前記端末装置選択手段にて選択された前記他の前記端末装置であって前記視聴要求に含まれている前記コンテンツ識別情報にて特定される前記コンテンツを記憶しているものを、前記コンテンツ関連情報記憶手段に記憶されている前記コンテンツ関連情報に基づいて検索する検索手段と、
前記検索手段にて検索された前記他の前記端末装置の使用状況を確認する確認手段と、
前記確認手段にて前記使用状況が確認された前記他の前記端末装置に関する検索結果を、前記視聴要求にて特定される前記端末装置に送信する検索結果送信手段と、
前記検索結果送信手段にて送信された前記検索結果に対して前記端末装置にて選択された前記他の前記端末装置に関する当該端末装置から送信された選択結果を受信する選択結果受信手段と、
前記選択結果受信手段にて受信された前記選択結果にて特定される前記他の前記端末装置に、前記視聴要求に含まれている前記コンテンツ識別情報と当該視聴要求にて特定される前記端末装置を識別する端末識別情報とを含む同期視聴要求を送信する同期視聴要求送信手段と、
を備え、
前記端末装置の前記記憶部は、
前記コンテンツを記憶するコンテンツ記憶手段を備え、
前記端末装置の前記制御部は、
前記視聴要求を前記センター装置に送信する視聴要求送信手段と、
前記センター装置から送信された前記検索結果を受信する検索結果受信手段と、
前記検索結果受信手段にて受信された前記検索結果を、当該端末装置に接続されている前記出力装置に、前記入力部にて選択可能に出力する検索結果出力手段と、
前記検索結果出力手段にて出力された前記検索結果に対して前記入力部にて選択された前記選択結果を、前記センター装置に送信する選択結果送信手段と、
前記センター装置から送信された前記同期視聴要求を受信する同期視聴要求受信手段と、
前記同期視聴要求受信手段にて受信された前記同期視聴要求を許可するか否かを、当該端末装置に接続されている前記出力装置に、前記入力部にて選択可能に出力する同期視聴要求出力手段と、
前記同期視聴要求出力手段にて出力された前記同期視聴要求を許可すると前記入力部にて選択された場合、当該端末装置の前記コンテンツ記憶手段に記憶されている前記コンテンツであって当該同期視聴要求に含まれている前記コンテンツ識別情報にて特定されるものを、当該端末装置に接続されている前記出力装置に出力すると共に当該同期視聴要求に含まれている前記端末識別情報にて特定される前記端末装置にストリーミング配信する出力配信手段と、
を備えたことを特徴とする共視聴利用者推薦システム。
【請求項２】
前記センター装置の前記記憶部は、
前記端末装置で視聴された前記コンテンツの視聴履歴を前記端末装置ごとに記憶する視聴履歴記憶手段
を更に備え、
前記センター装置の前記制御部は、
前記確認手段にて前記使用状況が確認された前記他の前記端末装置を、前記視聴履歴に基づいて順位付けする順位付け手段
を更に備え、
前記検索結果送信手段は、前記順位付け手段にて順位付けされた前記順位を更に送信することを特徴とする請求項１記載の共視聴利用者推薦システム。
【請求項３】
前記同期視聴要求送信手段は、前記順位付け手段にて順位付けした前記他の前記端末装置の前記順位を更に送信し、
前記同期視聴要求受信手段は、前記センター装置から送信された前記順位を更に受信し、
前記同期視聴要求出力手段は、前記同期視聴要求受信手段にて受信された前記順位を、当該端末装置に接続されている前記出力装置に更に出力することを特徴とする請求項２記載の共視聴利用者推薦システム。
【請求項４】
記憶部と制御部とを少なくとも備えたセンター装置と、出力装置に接続され記憶部と制御部と入力部とを少なくとも備えた複数の端末装置とを、通信可能に接続して構成された共視聴利用者推薦システムであって、
前記センター装置の前記記憶部は、
前記端末装置の利用者の属性に関する個人情報を記憶する個人情報記憶手段と、
前記端末装置と当該端末装置に記憶されているコンテンツとを対応付けたコンテンツ関連情報を記憶するコンテンツ関連情報記憶手段と、
を備え、
前記センター装置の前記制御部は、
前記端末装置の利用者を識別する利用者識別情報を含む前記端末装置から送信された視聴要求を受信する視聴要求受信手段と、
前記視聴要求受信手段にて受信された前記視聴要求に含まれている前記利用者識別情報にて特定される利用者の前記個人情報と当該利用者の前記端末装置以外の他の前記端末装置の利用者の前記個人情報とを前記個人情報記憶手段を参照しながら照合することによって、前記他の前記端末装置を選択する端末装置選択手段と、
前記端末装置選択手段にて選択された前記他の前記端末装置の使用状況を確認する確認手段と、
前記確認手段にて前記使用状況が確認された前記他の前記端末装置に記憶されている前記コンテンツを、前記コンテンツ関連情報記憶手段に記憶されている前記コンテンツ関連情報に基づいて検索する検索手段と、
前記検索手段にて検索された前記コンテンツに関する検索結果を、前記視聴要求にて特定される前記端末装置に送信する検索結果送信手段と、
前記検索結果送信手段にて送信された前記検索結果に対して前記端末装置にて選択された前記コンテンツに関する当該端末装置から送信された選択結果を受信する選択結果受信手段と、
前記選択結果受信手段にて受信された前記選択結果にて特定される前記コンテンツを記憶している前記他の前記端末装置を、前記コンテンツ関連情報記憶手段に記憶されている前記コンテンツ関連情報に基づいて特定する特定手段と、
前記特定手段にて特定された前記他の前記端末装置に、前記選択結果にて特定される前記コンテンツを識別するコンテンツ識別情報と前記端末装置を識別する端末識別情報とを含む同期視聴要求を送信する同期視聴要求送信手段と、
を備え、
前記端末装置の前記記憶部は、
前記コンテンツを記憶するコンテンツ記憶手段を備え、
前記端末装置の前記制御部は、
前記視聴要求を前記センター装置に送信する視聴要求送信手段と、
前記センター装置から送信された前記検索結果を受信する検索結果受信手段と、
前記検索結果受信手段にて受信された前記検索結果を、当該端末装置に接続されている前記出力装置に、前記入力部にて選択可能に出力する検索結果出力手段と、
前記検索結果出力手段にて出力された前記検索結果に対して前記入力部にて選択された前記選択結果を、前記センター装置に送信する選択結果送信手段と、
前記センター装置から送信された前記同期視聴要求を受信する同期視聴要求受信手段と、
前記同期視聴要求受信手段にて受信された前記同期視聴要求を許可するか否かを、当該端末装置に接続されている前記出力装置に、前記入力部にて選択可能に出力する同期視聴要求出力手段と、
前記同期視聴要求出力手段にて出力された前記同期視聴要求を許可すると前記入力部にて選択された場合、当該端末装置の前記コンテンツ記憶手段に記憶されている前記コンテンツであって当該同期視聴要求に含まれている前記コンテンツ識別情報にて特定されるものを、当該端末装置に接続されている前記出力装置に出力すると共に当該同期視聴要求に含まれている前記端末識別情報にて特定される前記端末装置にストリーミング配信する出力配信手段と、
を備えたことを特徴とする共視聴利用者推薦システム。
【請求項５】
記憶部と制御部とを少なくとも備えたセンター装置と、出力装置に接続され記憶部と制御部と入力部とを少なくとも備えた複数の端末装置とを、通信可能に接続して構成された共視聴利用者推薦システムにて実行される共視聴利用者推薦方法であって、
前記端末装置の前記記憶部は、コンテンツを記憶するコンテンツ記憶手段を備え、
前記センター装置の前記記憶部は、前記端末装置の利用者の属性に関する個人情報を記憶する個人情報記憶手段と、前記端末装置と当該端末装置に記憶されている前記コンテンツとを対応付けたコンテンツ関連情報を記憶するコンテンツ関連情報記憶手段と、を備えており、
前記端末装置の前記制御部が、当該端末装置の利用者を識別する利用者識別情報と当該利用者が視聴を所望するコンテンツを識別するコンテンツ識別情報とを含む視聴要求を前記センター装置に送信する視聴要求送信ステップと、
前記センター装置の前記制御部が、前記端末装置から送信された前記視聴要求を受信する視聴要求受信ステップと、
前記センター装置の前記制御部が、前記視聴要求受信ステップにて受信された前記視聴要求に含まれている前記利用者識別情報にて特定される利用者の前記個人情報と当該利用者の前記端末装置以外の他の前記端末装置の利用者の前記個人情報とを前記個人情報記憶手段を参照しながら照合することによって、前記他の前記端末装置を選択する端末装置選択ステップと、
前記センター装置の前記制御部が、前記端末装置選択ステップにて選択された前記他の前記端末装置であって前記視聴要求に含まれている前記コンテンツ識別情報にて特定される前記コンテンツを記憶しているものを、前記コンテンツ関連情報記憶手段に記憶されている前記コンテンツ関連情報に基づいて検索する検索ステップと、
前記センター装置の前記制御部が、前記検索ステップにて検索された前記他の前記端末装置の使用状況を確認する確認ステップと、
前記センター装置の前記制御部が、前記確認ステップにて前記使用状況が確認された前記他の前記端末装置に関する検索結果を、前記視聴要求にて特定される前記端末装置に送信する検索結果送信ステップと、
前記端末装置の前記制御部が、前記センター装置から送信された前記検索結果を受信する検索結果受信ステップと、
前記端末装置の前記制御部が、前記検索結果受信ステップにて受信された前記検索結果を、当該端末装置に接続されている前記出力装置に、前記入力部にて選択可能に出力する検索結果出力ステップと、
前記端末装置の前記制御部が、前記検索結果出力ステップにて出力された前記検索結果に対して前記入力部にて選択された前記他の前記端末装置に関する選択結果を、前記センター装置に送信する選択結果送信ステップと、
前記センター装置の前記制御部が、前記端末装置から送信された前記選択結果を受信する選択結果受信ステップと、
前記センター装置の前記制御部が、前記選択結果受信ステップにて受信された前記選択結果にて特定される前記他の前記端末装置に、前記視聴要求に含まれている前記コンテンツ識別情報と当該視聴要求にて特定される前記端末装置を識別する端末識別情報とを含む同期視聴要求を送信する同期視聴要求送信ステップと、
前記他の前記端末装置の前記制御部が、前記センター装置から送信された前記同期視聴要求を受信する同期視聴要求受信ステップと、
前記他の前記端末装置の前記制御部が、前記同期視聴要求受信ステップにて受信された前記同期視聴要求を許可するか否かを、当該端末装置に接続されている前記出力装置に、前記入力部にて選択可能に出力する同期視聴要求出力ステップと、
前記他の前記端末装置の前記制御部が、前記同期視聴要求出力ステップにて出力された前記同期視聴要求を許可すると前記入力部にて選択された場合、当該端末装置の前記コンテンツ記憶手段に記憶されている前記コンテンツであって当該同期視聴要求に含まれている前記コンテンツ識別情報にて特定されるものを、当該端末装置に接続されている前記出力装置に出力すると共に当該同期視聴要求に含まれている前記端末識別情報にて特定される前記端末装置にストリーミング配信する出力配信ステップと、
を含むことを特徴とする共視聴利用者推薦方法。
【請求項６】
記憶部と制御部とを少なくとも備えたセンター装置と、出力装置に接続され記憶部と制御部と入力部とを少なくとも備えた複数の端末装置とを、通信可能に接続して構成された共視聴利用者推薦システムにて実行される共視聴利用者推薦方法であって、
前記端末装置の前記記憶部は、コンテンツを記憶するコンテンツ記憶手段を備え、
前記センター装置の前記記憶部は、前記端末装置の利用者の属性に関する個人情報を記憶する個人情報記憶手段と、前記端末装置と当該端末装置に記憶されている前記コンテンツとを対応付けたコンテンツ関連情報を記憶するコンテンツ関連情報記憶手段と、を備えており、
前記端末装置の前記制御部が、当該端末装置の利用者を識別する利用者識別情報を含む視聴要求を前記センター装置に送信する視聴要求送信ステップと、
前記センター装置の前記制御部が、前記端末装置から送信された前記視聴要求を受信する視聴要求受信ステップと、
前記センター装置の前記制御部が、前記視聴要求受信ステップにて受信された前記視聴要求に含まれている前記利用者識別情報にて特定される利用者の前記個人情報と当該利用者の前記端末装置以外の他の前記端末装置の利用者の前記個人情報とを前記個人情報記憶手段を参照しながら照合することによって、前記他の前記端末装置を選択する端末装置選択ステップと、
前記センター装置の前記制御部が、前記端末装置選択ステップにて選択された前記他の前記端末装置の使用状況を確認する確認ステップと、
前記センター装置の前記制御部が、前記確認ステップにて前記使用状況が確認された前記他の前記端末装置に記憶されている前記コンテンツを、前記コンテンツ関連情報記憶手段に記憶されている前記コンテンツ関連情報に基づいて検索する検索ステップと、
前記センター装置の前記制御部が、前記検索ステップにて検索された前記コンテンツに関する検索結果を、前記視聴要求にて特定される前記端末装置に送信する検索結果送信ステップと、
前記端末装置の前記制御部が、前記センター装置から送信された前記検索結果を受信する検索結果受信ステップと、
前記端末装置の前記制御部が、前記検索結果受信ステップにて受信された前記検索結果を、当該端末装置に接続されている前記出力装置に、前記入力部にて選択可能に出力する検索結果出力ステップと、
前記端末装置の前記制御部が、前記検索結果出力ステップにて出力された前記検索結果に対して前記入力部にて選択された前記コンテンツに関する選択結果を、前記センター装置に送信する選択結果送信ステップと、
前記センター装置の前記制御部が、前記端末装置から送信された前記選択結果を受信する選択結果受信ステップと、
前記センター装置の前記制御部が、前記選択結果受信ステップにて受信された前記選択結果にて特定される前記コンテンツを記憶している前記他の前記端末装置を、前記コンテンツ関連情報記憶手段に記憶されている前記コンテンツ関連情報に基づいて特定する特定ステップと、
前記センター装置の前記制御部が、前記特定ステップにて特定された前記他の前記端末装置に、前記選択結果にて特定される前記コンテンツを識別するコンテンツ識別情報と前記視聴要求にて特定される前記端末装置を識別する端末識別情報とを含む同期視聴要求を送信する同期視聴要求送信ステップと、
前記他の前記端末装置の前記制御部が、前記センター装置から送信された前記同期視聴要求を受信する同期視聴要求受信ステップと、
前記他の前記端末装置の前記制御部が、前記同期視聴要求受信ステップにて受信された前記同期視聴要求を許可するか否かを、当該端末装置に接続されている前記出力装置に、前記入力部にて選択可能に出力する同期視聴要求出力ステップと、
前記他の前記端末装置の前記制御部が、前記同期視聴要求出力ステップにて出力された前記同期視聴要求を許可すると前記入力部にて選択された場合、当該端末装置の前記コンテンツ記憶手段に記憶されている前記コンテンツであって当該同期視聴要求に含まれている前記コンテンツ識別情報にて特定されるものを、当該他の前記端末装置に接続されている前記出力装置に出力すると共に当該同期視聴要求に含まれている前記端末識別情報にて特定される前記端末装置にストリーミング配信する出力配信ステップと、
を含むことを特徴とする共視聴利用者推薦方法。
【発明の詳細な説明】
【技術分野】
【０００１】
本発明は、共視聴利用者推薦システムおよび共視聴利用者推薦方法に関する。
【背景技術】
【０００２】
従来、リアルタイムでテレビ番組等のコンテンツを視聴できない場合、当該コンテンツの視聴形態としては、録画による視聴が一般的であるが、録画の失敗、予約忘れ、コンテンツ間の放送時間の重複、地域ごとに放送されるコンテンツの種類や量の違い、家庭用録画機器の機能的限界等により番組を見逃すことは避けられなかった。ところが、近年、ファイル共有ネットワークを介して録画番組を提供するコンテンツ視聴システムが開発されている。
【０００３】
例えば、特許文献１に記載の録画視聴システムでは、インターネット網に接続されている複数の情報記録再生装置で協力して放送番組の録画を行うと共に、録画番組の番組名について管理サーバを介してキーワード検索することで、視聴者が所望する番組を視聴できるようにする録画視聴システムが開示されている。
【特許文献１】特開２００６−１４０６０６号公報
【発明の開示】
【発明が解決しようとする課題】
【０００４】
しかしながら、特許文献１においては、利用者が所望するコンテンツを記憶したネットワーク上の情報記録再生装置を検索し、検索された情報記録再生装置から利用者にコンテンツを送信させているため、ネットワークを介してコンテンツの送信側および受信側の利用者同士が生活リズム、趣味、好み、年齢等の相性の合う相手との同期視聴を求めたとしても、そのような相手を探すのが難しいという問題点を有していた。また、特許文献１においては、コンテンツを視聴した利用者に対し、著作権者への著作権料の徴収を行っているため、自分で録画していれば無料で視聴可能であったコンテンツに対して料金を払って視聴しなければならないという問題点を有していた。
【０００５】
本発明は、上記に鑑みてなされたもので、ネットワークを介したコンテンツの単純な送受信ではなく、相性の合う利用者間におけるネットワークを介した情報空間、すなわちバーチャルリビングにおいて、当該利用者間におけるコンテンツの個人的な同期視聴を行うことを可能とする共視聴利用者推薦システムおよび共視聴利用者推薦方法を提供することを目的とする。更に、当該利用者のコンテンツの無料視聴を可能にする共視聴利用者推薦システムおよび共視聴利用者推薦方法を提供することを目的とする。
【課題を解決するための手段】
【０００６】
上述した課題を解決し、上述した目的を達成するために、本発明は、記憶部と制御部とを少なくとも備えたセンター装置と、出力装置に接続され記憶部と制御部と入力部とを少なくとも備えた複数の端末装置とを、通信可能に接続して構成された共視聴利用者推薦システムにおいて、下記（Ａ１）〜（Ａ９）を実行するものである。
【０００７】
（Ａ１）端末装置の制御部は、当該端末装置の利用者を識別する利用者識別情報と当該利用者が視聴を所望するコンテンツを識別するコンテンツ識別情報とを含む視聴要求をセンター装置に送信する。
【０００８】
（Ａ２）センター装置の制御部は、端末装置から送信された視聴要求を受信し、受信された視聴要求に含まれている利用者識別情報にて特定される利用者の個人情報と当該利用者の端末装置以外の他の端末装置の利用者の個人情報とを記憶部を参照しながら照合することによって、他の端末装置を選択する。
【０００９】
（Ａ３）センター装置の制御部は、選択された他の端末装置であって視聴要求に含まれているコンテンツ識別情報にて特定されるコンテンツを記憶しているものを、記憶部に記憶されているコンテンツ関連情報に基づいて検索し、検索された他の端末装置の使用状況を確認する。
【００１０】
（Ａ４）センター装置の制御部は、使用状況が確認された他の端末装置に関する検索結果を、視聴要求にて特定される端末装置に送信する。
【００１１】
（Ａ５）端末装置の制御部は、センター装置から送信された検索結果を受信し、受信された検索結果を、当該端末装置に接続されている出力装置に、入力部にて選択可能に出力する。
【００１２】
（Ａ６）端末装置の制御部は、出力された検索結果に対して入力部にて選択された他の端末装置に関する選択結果を、センター装置に送信する。
【００１３】
（Ａ７）センター装置の制御部は、端末装置から送信された選択結果を受信し、受信された選択結果にて特定される他の端末装置に、視聴要求に含まれているコンテンツ識別情報と当該視聴要求にて特定される端末装置を識別する端末識別情報とを含む同期視聴要求を送信する。
【００１４】
（Ａ８）他の端末装置の制御部は、センター装置から送信された同期視聴要求を受信し、受信された同期視聴要求を許可するか否かを、当該端末装置に接続されている出力装置に、入力部にて選択可能に出力する。
【００１５】
（Ａ９）他の端末装置の制御部は、出力された同期視聴要求を許可すると入力部にて選択された場合、当該端末装置の記憶部に記憶されているコンテンツであって当該同期視聴要求に含まれている前記コンテンツ識別情報にて特定されるものを、当該端末装置に接続されている出力装置に出力すると共に当該同期視聴要求に含まれている端末識別情報にて特定される端末装置にストリーミング配信する。
【００１６】
また、上述した課題を解決し、上述した目的を達成するために、本発明は、共視聴利用者推薦システムにおいて、下記（Ｂ１）〜（Ｂ９）を実行するものである。
【００１７】
（Ｂ１）端末装置の制御部は、当該端末装置の利用者を識別する利用者識別情報を含む視聴要求をセンター装置に送信する。
【００１８】
（Ｂ２）センター装置の制御部は、端末装置から送信された視聴要求を受信し、受信された視聴要求に含まれている利用者識別情報にて特定される利用者の個人情報と当該利用者の端末装置以外の他の端末装置の利用者の個人情報とを記憶部を参照しながら照合することによって、他の端末装置を選択する。
【００１９】
（Ｂ３）センター装置の制御部は、選択された他の端末装置の使用状況を確認し、使用状況が確認された他の端末装置に記憶されているコンテンツを、記憶部に記憶されているコンテンツ関連情報に基づいて検索し、検索されたコンテンツに関する検索結果を、視聴要求にて特定される端末装置に送信する。
【００２０】
（Ｂ４）端末装置の制御部は、センター装置から送信された検索結果を受信し、受信された検索結果を、当該端末装置に接続されている出力装置に、入力部にて選択可能に出力する。
【００２１】
（Ｂ５）端末装置の制御部は、出力された検索結果に対して入力部にて選択されたコンテンツに関する選択結果を、センター装置に送信する。
【００２２】
（Ｂ６）センター装置の制御部は、端末装置から送信された選択結果を受信し、受信された選択結果にて特定されるコンテンツを記憶している他の端末装置を、記憶部に記憶されているコンテンツ関連情報に基づいて特定する。
【００２３】
（Ｂ７）センター装置の制御部は、特定された他の端末装置に、選択結果にて特定されるコンテンツを識別するコンテンツ識別情報と視聴要求にて特定される端末装置を識別する端末識別情報とを含む同期視聴要求を送信する。
【００２４】
（Ｂ８）他の端末装置の制御部は、センター装置から送信された同期視聴要求を受信し、受信された同期視聴要求を許可するか否かを、当該端末装置に接続されている出力装置に、入力部にて選択可能に出力する。
【００２５】
（Ｂ９）他の端末装置の制御部は、出力された同期視聴要求を許可すると入力部にて選択された場合、当該端末装置の記憶部に記憶されているコンテンツであって当該同期視聴要求に含まれているコンテンツ識別情報にて特定されるものを、当該他の端末装置に接続されている出力装置に出力すると共に当該同期視聴要求に含まれている端末識別情報にて特定される端末装置にストリーミング配信する。
【発明の効果】
【００２６】
本発明によれば、ネットワークを介したコンテンツの単純な送受信ではなく、相性の合う利用者間におけるネットワークを介した情報空間、すなわちバーチャルリビングにおいて、当該利用者間におけるコンテンツの個人的な同期視聴を行うことを可能とし、更に、当該利用者のコンテンツの無料視聴を可能にする共視聴利用者推薦システムおよび共視聴利用者推薦方法が得られる。
【発明を実施するための最良の形態】
【００２７】
第一の発明の共視聴利用者推薦システムは、記憶部と制御部とを少なくとも備えたセンター装置と、出力装置に接続され記憶部と制御部と入力部とを少なくとも備えた複数の端末装置とを、通信可能に接続して構成された共視聴利用者推薦システムであって、前記センター装置の前記記憶部は、前記端末装置の利用者の属性に関する個人情報を記憶する個人情報記憶手段と、前記端末装置と当該端末装置に記憶されているコンテンツとを対応付けたコンテンツ関連情報を記憶するコンテンツ関連情報記憶手段と、を備え、前記センター装置の前記制御部は、前記端末装置の利用者を識別する利用者識別情報と当該利用者が視聴を所望するコンテンツを識別するコンテンツ識別情報とを含む前記端末装置から送信された視聴要求を受信する視聴要求受信手段と、前記視聴要求受信手段にて受信された前記視聴要求に含まれている前記利用者識別情報にて特定される利用者の前記個人情報と当該利用者の前記端末装置以外の他の前記端末装置の利用者の前記個人情報とを前記個人情報記憶手段を参照しながら照合することによって、前記他の前記端末装置を選択する端末装置選択手段と、前記端末装置選択手段にて選択された前記他の前記端末装置であって前記視聴要求に含まれている前記コンテンツ識別情報にて特定される前記コンテンツを記憶しているものを、前記コンテンツ関連情報記憶手段に記憶されている前記コンテンツ関連情報に基づいて検索する検索手段と、前記検索手段にて検索された前記他の前記端末装置の使用状況を確認する確認手段と、前記確認手段にて前記使用状況が確認された前記他の前記端末装置に関する検索結果を、前記視聴要求にて特定される前記端末装置に送信する検索結果送信手段と、前記検索結果送信手段にて送信された前記検索結果に対して前記端末装置にて選択された前記他の前記端末装置に関する当該端末装置から送信された選択結果を受信する選択結果受信手段と、前記選択結果受信手段にて受信された前記選択結果にて特定される前記他の前記端末装置に、前記視聴要求に含まれている前記コンテンツ識別情報と当該視聴要求にて特定される前記端末装置を識別する端末識別情報とを含む同期視聴要求を送信する同期視聴要求送信手段と、を備え、前記端末装置の前記記憶部は、前記コンテンツを記憶するコンテンツ記憶手段を備え、前記端末装置の前記制御部は、前記視聴要求を前記センター装置に送信する視聴要求送信手段と、前記センター装置から送信された前記検索結果を受信する検索結果受信手段と、前記検索結果受信手段にて受信された前記検索結果を、当該端末装置に接続されている前記出力装置に、前記入力部にて選択可能に出力する検索結果出力手段と、前記検索結果出力手段にて出力された前記検索結果に対して前記入力部にて選択された前記選択結果を、前記センター装置に送信する選択結果送信手段と、前記センター装置から送信された前記同期視聴要求を受信する同期視聴要求受信手段と、前記同期視聴要求受信手段にて受信された前記同期視聴要求を許可するか否かを、当該端末装置に接続されている前記出力装置に、前記入力部にて選択可能に出力する同期視聴要求出力手段と、前記同期視聴要求出力手段にて出力された前記同期視聴要求を許可すると前記入力部にて選択された場合、当該端末装置の前記コンテンツ記憶手段に記憶されている前記コンテンツであって当該同期視聴要求に含まれている前記コンテンツ識別情報にて特定されるものを、当該端末装置に接続されている前記出力装置に出力すると共に当該同期視聴要求に含まれている前記端末識別情報にて特定される前記端末装置にストリーミング配信する出力配信手段と、を備えたことを特徴としたものである。
【００２８】
この構成により、本発明は、ネットワークを介したコンテンツの単純な送受信ではなく、相性の合う利用者間におけるネットワークを介した情報空間、すなわちバーチャルリビングにおいて、当該利用者間におけるコンテンツの個人的な同期視聴を行うことを可能とし、更に、当該利用者のコンテンツの無料視聴を可能にするという作用を有する。
【００２９】
第二の発明の共視聴利用者推薦システムは、前記の発明の共視聴利用者推薦システムにおいて、前記センター装置の前記記憶部は、前記端末装置で視聴された前記コンテンツの視聴履歴を前記端末装置ごとに記憶する視聴履歴記憶手段を更に備え、前記センター装置の前記制御部は、前記確認手段にて前記使用状況が確認された前記他の前記端末装置を、前記視聴履歴に基づいて順位付けする順位付け手段を更に備え、前記検索結果送信手段は、前記順位付け手段にて順位付けされた前記順位を更に送信することを特徴としたものである。
【００３０】
この構成により、本発明は、利用者にとって相性の合うもしくは相性の合う可能性の高い利用者を選んで、同期視聴を依頼することができるという作用を有する。
【００３１】
第三の発明の共視聴利用者推薦システムは、前記の発明の共視聴利用者推薦システムにおいて、前記同期視聴要求送信手段は、前記順位付け手段にて順位付けした前記他の前記端末装置の前記順位を更に送信し、前記同期視聴要求受信手段は、前記センター装置から送信された前記順位を更に受信し、前記同期視聴要求出力手段は、前記同期視聴要求受信手段にて受信された前記順位を、当該端末装置に接続されている前記出力装置に更に出力することを特徴としたものである。
【００３２】
この構成により、本発明は、同期視聴を依頼された利用者にとって、誰から依頼がきたかだけでなく、相性があっているかを判断して適切な相手と同期視聴することが可能になり、より楽しく見られるもしくは話題が合わない等のいやな思いをすることを軽減することが可能となるという作用を有する。
【００３３】
第四の発明の共視聴利用者推薦システムは、記憶部と制御部とを少なくとも備えたセンター装置と、出力装置に接続され記憶部と制御部と入力部とを少なくとも備えた複数の端末装置とを、通信可能に接続して構成された共視聴利用者推薦システムであって、前記センター装置の前記記憶部は、前記端末装置の利用者の属性に関する個人情報を記憶する個人情報記憶手段と、前記端末装置と当該端末装置に記憶されているコンテンツとを対応付けたコンテンツ関連情報を記憶するコンテンツ関連情報記憶手段と、を備え、前記センター装置の前記制御部は、前記端末装置の利用者を識別する利用者識別情報を含む前記端末装置から送信された視聴要求を受信する視聴要求受信手段と、前記視聴要求受信手段にて受信された前記視聴要求に含まれている前記利用者識別情報にて特定される利用者の前記個人情報と当該利用者の前記端末装置以外の他の前記端末装置の利用者の前記個人情報とを前記個人情報記憶手段を参照しながら照合することによって、前記他の前記端末装置を選択する端末装置選択手段と、前記端末装置選択手段にて選択された前記他の前記端末装置の使用状況を確認する確認手段と、前記確認手段にて前記使用状況が確認された前記他の前記端末装置に記憶されている前記コンテンツを、前記コンテンツ関連情報記憶手段に記憶されている前記コンテンツ関連情報に基づいて検索する検索手段と、前記検索手段にて検索された前記コンテンツに関する検索結果を、前記視聴要求にて特定される前記端末装置に送信する検索結果送信手段と、前記検索結果送信手段にて送信された前記検索結果に対して前記端末装置にて選択された前記コンテンツに関する当該端末装置から送信された選択結果を受信する選択結果受信手段と、前記選択結果受信手段にて受信された前記選択結果にて特定される前記コンテンツを記憶している前記他の前記端末装置を、前記コンテンツ関連情報記憶手段に記憶されている前記コンテンツ関連情報に基づいて特定する特定手段と、前記特定手段にて特定された前記他の前記端末装置に、前記選択結果にて特定される前記コンテンツを識別するコンテンツ識別情報と前記端末装置を識別する端末識別情報とを含む同期視聴要求を送信する同期視聴要求送信手段と、を備え、前記端末装置の前記記憶部は、前記コンテンツを記憶するコンテンツ記憶手段を備え、前記端末装置の前記制御部は、前記視聴要求を前記センター装置に送信する視聴要求送信手段と、前記センター装置から送信された前記検索結果を受信する検索結果受信手段と、前記検索結果受信手段にて受信された前記検索結果を、当該端末装置に接続されている前記出力装置に、前記入力部にて選択可能に出力する検索結果出力手段と、前記検索結果出力手段にて出力された前記検索結果に対して前記入力部にて選択された前記選択結果を、前記センター装置に送信する選択結果送信手段と、前記センター装置から送信された前記同期視聴要求を受信する同期視聴要求受信手段と、前記同期視聴要求受信手段にて受信された前記同期視聴要求を許可するか否かを、当該端末装置に接続されている前記出力装置に、前記入力部にて選択可能に出力する同期視聴要求出力手段と、前記同期視聴要求出力手段にて出力された前記同期視聴要求を許可すると前記入力部にて選択された場合、当該端末装置の前記コンテンツ記憶手段に記憶されている前記コンテンツであって当該同期視聴要求に含まれている前記コンテンツ識別情報にて特定されるものを、当該端末装置に接続されている前記出力装置に出力すると共に当該同期視聴要求に含まれている前記端末識別情報にて特定される前記端末装置にストリーミング配信する出力配信手段と、を備えたことを特徴としたものである。
【００３４】
この構成により、本発明は、ネットワークを介したコンテンツの単純な送受信ではなく、相性の合う利用者間におけるネットワークを介した情報空間、すなわちバーチャルリビングにおいて、当該利用者間におけるコンテンツの個人的な同期視聴を行うことを可能とし、更に、当該利用者のコンテンツの無料視聴を可能にするという作用を有する。
【００３５】
第五の発明の共視聴利用者推薦システムは、前記の発明の共視聴利用者推薦システムにおいて、前記センター装置の前記記憶部は、前記端末装置で視聴された前記コンテンツの視聴履歴を前記端末装置ごとに記憶する視聴履歴記憶手段を更に備え、前記センター装置の前記制御部は、前記特定手段にて特定された前記他の前記端末装置を、前記視聴履歴に基づいて順位付けする順位付け手段を更に備え、前記同期視聴要求送信手段は、前記順位付け手段にて最上位に順位付けされた前記他の前記端末装置に、前記同期視聴要求を送信することを特徴としたものである。
【００３６】
この構成により、本発明は、同期視聴を所望する利用者にとって、相性が最適な他の利用者を選択し、同期視聴の依頼をすることができるという作用を有する。
【００３７】
第六の発明の共視聴利用者推薦システムは、前記の発明の共視聴利用者推薦システムにおいて、前記同期視聴要求送信手段は、前記順位付け手段にて順位付けした前記他の前記端末装置の順位を更に送信し、前記同期視聴要求受信手段は、前記センター装置から送信された前記順位を更に受信し、前記同期視聴要求出力手段は、前記同期視聴要求受信手段にて受信された前記順位を、当該端末装置に接続されている前記出力装置に更に出力することを特徴としたものである。
【００３８】
この構成により、本発明は、同期視聴を依頼された利用者にとって、誰から依頼がきたかだけでなく、相性があっているかを判断して適切な相手と同期視聴することが可能になり、より楽しく見られるもしくは話題が合わない等のいやな思いをすることを軽減することが可能となるという作用を有する。
【００３９】
第七の発明の共視聴利用者推薦方法は、記憶部と制御部とを少なくとも備えたセンター装置と、出力装置に接続され記憶部と制御部と入力部とを少なくとも備えた複数の端末装置とを、通信可能に接続して構成された共視聴利用者推薦システムにて実行される共視聴利用者推薦方法であって、前記端末装置の前記記憶部は、コンテンツを記憶するコンテンツ記憶手段を備え、前記センター装置の前記記憶部は、前記端末装置の利用者の属性に関する個人情報を記憶する個人情報記憶手段と、前記端末装置と当該端末装置に記憶されている前記コンテンツとを対応付けたコンテンツ関連情報を記憶するコンテンツ関連情報記憶手段と、を備えており、前記端末装置の前記制御部が、当該端末装置の利用者を識別する利用者識別情報と当該利用者が視聴を所望するコンテンツを識別するコンテンツ識別情報とを含む視聴要求を前記センター装置に送信する視聴要求送信ステップと、前記センター装置の前記制御部が、前記端末装置から送信された前記視聴要求を受信する視聴要求受信ステップと、前記センター装置の前記制御部が、前記視聴要求受信ステップにて受信された前記視聴要求に含まれている前記利用者識別情報にて特定される利用者の前記個人情報と当該利用者の前記端末装置以外の他の前記端末装置の利用者の前記個人情報とを前記個人情報記憶手段を参照しながら照合することによって、前記他の前記端末装置を選択する端末装置選択ステップと、前記センター装置の前記制御部が、前記端末装置選択ステップにて選択された前記他の前記端末装置であって前記視聴要求に含まれている前記コンテンツ識別情報にて特定される前記コンテンツを記憶しているものを、前記コンテンツ関連情報記憶手段に記憶されている前記コンテンツ関連情報に基づいて検索する検索ステップと、前記センター装置の前記制御部が、前記検索ステップにて検索された前記他の前記端末装置の使用状況を確認する確認ステップと、前記センター装置の前記制御部が、前記確認ステップにて前記使用状況が確認された前記他の前記端末装置に関する検索結果を、前記視聴要求にて特定される前記端末装置に送信する検索結果送信ステップと、前記端末装置の前記制御部が、前記センター装置から送信された前記検索結果を受信する検索結果受信ステップと、前記端末装置の前記制御部が、前記検索結果受信ステップにて受信された前記検索結果を、当該端末装置に接続されている前記出力装置に、前記入力部にて選択可能に出力する検索結果出力ステップと、前記端末装置の前記制御部が、前記検索結果出力ステップにて出力された前記検索結果に対して前記入力部にて選択された前記他の前記端末装置に関する選択結果を、前記センター装置に送信する選択結果送信ステップと、前記センター装置の前記制御部が、前記端末装置から送信された前記選択結果を受信する選択結果受信ステップと、前記センター装置の前記制御部が、前記選択結果受信ステップにて受信された前記選択結果にて特定される前記他の前記端末装置に、前記視聴要求に含まれている前記コンテンツ識別情報と当該視聴要求にて特定される前記端末装置を識別する端末識別情報とを含む同期視聴要求を送信する同期視聴要求送信ステップと、前記他の前記端末装置の前記制御部が、前記センター装置から送信された前記同期視聴要求を受信する同期視聴要求受信ステップと、前記他の前記端末装置の前記制御部が、前記同期視聴要求受信ステップにて受信された前記同期視聴要求を許可するか否かを、当該端末装置に接続されている前記出力装置に、前記入力部にて選択可能に出力する同期視聴要求出力ステップと、前記他の前記端末装置の前記制御部が、前記同期視聴要求出力ステップにて出力された前記同期視聴要求を許可すると前記入力部にて選択された場合、当該端末装置の前記コンテンツ記憶手段に記憶されている前記コンテンツであって当該同期視聴要求に含まれている前記コンテンツ識別情報にて特定されるものを、当該端末装置に接続されている前記出力装置に出力すると共に当該同期視聴要求に含まれている前記端末識別情報にて特定される前記端末装置にストリーミング配信する出力配信ステップと、を含むことを特徴としたものである。
【００４０】
この構成により、本発明は、ネットワークを介したコンテンツの単純な送受信ではなく、相性の合う利用者間におけるネットワークを介した情報空間、すなわちバーチャルリビングにおいて、当該利用者間におけるコンテンツの個人的な同期視聴を行うことを可能とし、更に、当該利用者のコンテンツの無料視聴を可能にするという作用を有する。
【００４１】
第八の発明の共視聴利用者推薦方法は、前記の発明の共視聴利用者推薦システムにおいて、前記センター装置の前記記憶部は、前記端末装置で視聴された前記コンテンツの視聴履歴を前記端末装置ごとに記憶する視聴履歴記憶手段を更に備えており、前記センター装置の前記制御部が、前記確認ステップにて前記使用状況が確認された前記他の前記端末装置を、前記視聴履歴に基づいて順位付けする順位付けステップを更に含み、前記検索結果送信ステップにおいては、前記センター装置の前記制御部が、前記順位付けステップにて順位付けされた前記順位を更に送信することを特徴としたものである。
【００４２】
この構成により、本発明は、利用者にとって相性の合うもしくは相性の合う可能性の高い利用者を選んで、同期視聴を依頼することができるという作用を有する。
【００４３】
第九の発明の共視聴利用者推薦方法は、前記の発明の共視聴利用者推薦システムにおいて、前記同期視聴要求送信ステップにおいては、前記センター装置の前記制御部が、前記順位付けステップにて順位付けした前記他の前記端末装置の前記順位を更に送信し、前記同期視聴要求受信ステップにおいては、前記他の前記端末装置の前記制御部が、前記センター装置から送信された前記順位を更に受信し、前記同期視聴要求出力ステップにおいては、前記他の前記端末装置の前記制御部が、前記同期視聴要求受信ステップにて受信された前記順位を、当該端末装置に接続されている前記出力装置に更に出力することを特徴としたものである。
【００４４】
この構成により、本発明は、同期視聴を依頼された利用者にとって、誰から依頼がきたかだけでなく、相性があっているかを判断して適切な相手と同期視聴することが可能になり、より楽しく見られるもしくは話題が合わない等のいやな思いをすることを軽減することが可能となるという作用を有する。
【００４５】
第十の発明の共視聴利用者推薦方法は、記憶部と制御部とを少なくとも備えたセンター装置と、出力装置に接続され記憶部と制御部と入力部とを少なくとも備えた複数の端末装置とを、通信可能に接続して構成された共視聴利用者推薦システムにて実行される共視聴利用者推薦方法であって、前記端末装置の前記記憶部は、コンテンツを記憶するコンテンツ記憶手段を備え、前記センター装置の前記記憶部は、前記端末装置の利用者の属性に関する個人情報を記憶する個人情報記憶手段と、前記端末装置と当該端末装置に記憶されている前記コンテンツとを対応付けたコンテンツ関連情報を記憶するコンテンツ関連情報記憶手段と、を備えており、前記端末装置の前記制御部が、当該端末装置の利用者を識別する利用者識別情報を含む視聴要求を前記センター装置に送信する視聴要求送信ステップと、前記センター装置の前記制御部が、前記端末装置から送信された前記視聴要求を受信する視聴要求受信ステップと、前記センター装置の前記制御部が、前記視聴要求受信ステップにて受信された前記視聴要求に含まれている前記利用者識別情報にて特定される利用者の前記個人情報と当該利用者の前記端末装置以外の他の前記端末装置の利用者の前記個人情報とを前記個人情報記憶手段を参照しながら照合することによって、前記他の前記端末装置を選択する端末装置選択ステップと、前記センター装置の前記制御部が、前記端末装置選択ステップにて選択された前記他の前記端末装置の使用状況を確認する確認ステップと、前記センター装置の前記制御部が、前記確認ステップにて前記使用状況が確認された前記他の前記端末装置に記憶されている前記コンテンツを、前記コンテンツ関連情報記憶手段に記憶されている前記コンテンツ関連情報に基づいて検索する検索ステップと、前記センター装置の前記制御部が、前記検索ステップにて検索された前記コンテンツに関する検索結果を、前記視聴要求にて特定される前記端末装置に送信する検索結果送信ステップと、前記端末装置の前記制御部が、前記センター装置から送信された前記検索結果を受信する検索結果受信ステップと、前記端末装置の前記制御部が、前記検索結果受信ステップにて受信された前記検索結果を、当該端末装置に接続されている前記出力装置に、前記入力部にて選択可能に出力する検索結果出力ステップと、前記端末装置の前記制御部が、前記検索結果出力ステップにて出力された前記検索結果に対して前記入力部にて選択された前記コンテンツに関する選択結果を、前記センター装置に送信する選択結果送信ステップと、前記センター装置の前記制御部が、前記端末装置から送信された前記選択結果を受信する選択結果受信ステップと、前記センター装置の前記制御部が、前記選択結果受信ステップにて受信された前記選択結果にて特定される前記コンテンツを記憶している前記他の前記端末装置を、前記コンテンツ関連情報記憶手段に記憶されている前記コンテンツ関連情報に基づいて特定する特定ステップと、前記センター装置の前記制御部が、前記特定ステップにて特定された前記他の前記端末装置に、前記選択結果にて特定される前記コンテンツを識別するコンテンツ識別情報と前記視聴要求にて特定される前記端末装置を識別する端末識別情報とを含む同期視聴要求を送信する同期視聴要求送信ステップと、前記他の前記端末装置の前記制御部が、前記センター装置から送信された前記同期視聴要求を受信する同期視聴要求受信ステップと、前記他の前記端末装置の前記制御部が、前記同期視聴要求受信ステップにて受信された前記同期視聴要求を許可するか否かを、当該端末装置に接続されている前記出力装置に、前記入力部にて選択可能に出力する同期視聴要求出力ステップと、前記他の前記端末装置の前記制御部が、前記同期視聴要求出力ステップにて出力された前記同期視聴要求を許可すると前記入力部にて選択された場合、当該端末装置の前記コンテンツ記憶手段に記憶されている前記コンテンツであって当該同期視聴要求に含まれている前記コンテンツ識別情報にて特定されるものを、当該他の前記端末装置に接続されている前記出力装置に出力すると共に当該同期視聴要求に含まれている前記端末識別情報にて特定される前記端末装置にストリーミング配信する出力配信ステップと、を含むことを特徴としたものである。
【００４６】
この構成により、本発明は、ネットワークを介したコンテンツの単純な送受信ではなく、相性の合う利用者間におけるネットワークを介した情報空間、すなわちバーチャルリビングにおいて、当該利用者間におけるコンテンツの個人的な同期視聴を行うことを可能とし、更に、当該利用者のコンテンツの無料視聴を可能にするという作用を有する。
【００４７】
第十一の発明の共視聴利用者推薦方法は、前記の発明の共視聴利用者推薦システムにおいて、前記センター装置の前記記憶部は、前記端末装置で視聴された前記コンテンツの視聴履歴を前記端末装置ごとに記憶する視聴履歴記憶手段を更に備えており、前記センター装置の前記制御部において、前記センター装置の前記制御部が、前記特定手段にて特定された前記他の前記端末装置を、前記視聴履歴に基づいて順位付けする順位付けステップを更に含み、前記同期視聴要求送信ステップにおいて、前記センター装置の前記制御部が、前記順位付け手段にて最上位に順位付けされた前記他の前記端末装置に、前記同期視聴要求を送信することを特徴としたものである。
【００４８】
この構成により、本発明は、同期視聴を所望する利用者にとって、相性が最適な他の利用者を選択し、同期視聴の依頼をすることができるという作用を有する。
【００４９】
第十二の発明の共視聴利用者推薦方法は、前記の発明の共視聴利用者推薦システムにおいて、前記同期視聴要求送信ステップにおいて、前記センター装置の前記制御部が、前記順位付け手段にて順位付けした前記他の前記端末装置の順位を更に送信し、前記同期視聴要求受信ステップにおいて、前記端末装置の前記制御部が、前記センター装置から送信された前記順位を更に受信し、前記同期視聴要求出力ステップにおいて、前記端末装置の前記制御部が、前記同期視聴要求受信ステップにて受信された前記順位を、当該端末装置に接続されている前記出力装置に更に出力することを特徴としたものである。
【００５０】
この構成により、本発明は、同期視聴を依頼された利用者にとって、誰から依頼がきたかだけでなく、相性があっているかを判断して適切な相手と同期視聴することが可能になり、より楽しく見られるもしくは話題が合わない等のいやな思いをすることを軽減することが可能となるという作用を有する。
【００５１】
次に、上述した発明にかかる共視聴利用者推薦システムおよび共視聴利用者推薦方法の実施の形態を図面に基づいて詳細に説明する。なお、この実施の形態によりこの発明が限定されるものではない。
【００５２】
［本実施の形態の概要］
以下、本実施の形態の共視聴利用者推薦システムの概要について図１を参照して説明する。図１は、本実施の形態の概要を示す図である。図１において、１０はセンター装置であり、２０は端末装置であり、２８は出力装置であり、３０はネットワークである。
【００５３】
本実施の形態のシステムは、概略的に、以下の基本的特徴を有する。図１に示すように、本実施の形態のシステムは、センター装置１０と、出力装置２８に接続された複数の端末装置２０とを、ネットワーク３０を介して通信可能に接続して構成される。
まず、端末装置２０は、端末装置２０の利用者を識別する利用者識別情報と当該利用者が視聴を所望するコンテンツを識別するコンテンツ識別情報とを含む視聴要求（例えば、見逃した番組を録画している人の検索依頼等）をセンター装置１０に送信する。なお、端末装置２０は、当該端末装置２０の利用者を識別する利用者識別情報を含む視聴要求をセンター装置１０に送信してもよい。
【００５４】
ここで、「コンテンツ」とは、地上波放送、衛星放送、有線放送、インターネット放送等の放送局によって製作された番組等であって、公衆の視聴に供するために提供されたものである。一例として、コンテンツとしては、報道番組、娯楽番組、ドラマ等であってもよい。
【００５５】
そして、センター装置１０は、端末装置２０から送信された視聴要求を受信し、受信された視聴要求に含まれている利用者識別情報にて特定される利用者の個人情報と当該利用者の端末装置２０以外の他の端末装置２０の利用者の個人情報とを照合すること（例えば、ソーシャルネットワークサービス（ＳＮＳ）の友人の中でマッチング等）によって、他の端末装置２０を選択し、選択された他の端末装置２０であって視聴要求に含まれているコンテンツ識別情報にて特定されるコンテンツを記憶しているものを、記憶されているコンテンツ関連情報に基づいて検索し、検索された他の端末装置２０の使用状況を確認し、使用状況が確認された他の端末装置２０に関する検索結果を、視聴要求にて特定される端末装置２０に送信する。なお、センター装置１０は、端末装置２０から送信された視聴要求を受信し、受信された視聴要求に含まれている利用者識別情報にて特定される利用者の個人情報と当該利用者の端末装置２０以外の他の端末装置２０の利用者の個人情報とを照合することによって、他の端末装置２０を選択し、選択された他の端末装置２０の使用状況を確認し、使用状況が確認された他の端末装置２０に記憶されているコンテンツを、記憶されているコンテンツ関連情報に基づいて検索し、検索されたコンテンツに関する検索結果を、視聴要求にて特定される端末装置２０に送信してもよい。
【００５６】
そして、端末装置２０は、センター装置１０から送信された検索結果を受信し、受信された検索結果を、当該端末装置２０に接続されている出力装置２８に選択可能に出力し、出力された検索結果に対して選択された選択結果を、センター装置１０に送信する。
【００５７】
そして、センター装置１０が、端末装置２０から送信された選択結果を受信し、受信された他の端末装置２０に関する選択結果にて特定される他の端末装置２０に、視聴要求に含まれているコンテンツ識別情報と当該視聴要求にて特定される端末装置２０を識別する端末識別情報とを含む同期視聴要求（例えば、録画している人との共聴をネゴシエーションする依頼等）を送信する。なお、センター装置１０の制御部は、視聴要求にて特定される端末装置２０から送信された選択結果を受信し、受信された選択結果にて特定されるコンテンツを記憶している他の端末装置２０を、記憶されたコンテンツ関連情報に基づいて特定し、特定された他の端末装置２０に、コンテンツに関する選択結果にて特定されるコンテンツを識別するコンテンツ識別情報と視聴要求にて特定される端末装置２０を識別する端末識別情報とを含む同期視聴要求を送信してもよい。
【００５８】
そして、他の端末装置２０は、センター装置１０から送信された同期視聴要求を受信し、受信された同期視聴要求を許可するか否かを、当該端末装置２０に接続されている出力装置２８に選択可能に出力し、出力された同期視聴要求を許可すると選択された場合、記憶されているコンテンツであって当該同期視聴要求に含まれているコンテンツ識別情報にて特定されるものを、当該端末装置２０に接続されている出力装置２８に出力すると共に当該同期視聴要求に含まれている端末識別情報にて特定される端末装置２０にストリーミング配信する。
【００５９】
以上、本実施の形態によれば、従来のマッチング技術に併せて、過去に共視聴を行ったかどうかの履歴、録画番組の視聴スタイル、その他どのようなジャンルの番組を視聴、録画しているか、端末状況（例えば、電源がＯＮかつ人感センサーがＯＮにより利用者が現在テレビを見ていることを感知している状況等）などの動的な情報を加味するので、ネットワークを介したコンテンツの単純な送受信ではなく、相性の合う利用者間におけるネットワークを介した情報空間、すなわちバーチャルリビングにおいて、当該利用者間におけるコンテンツの個人的な同期視聴を行うことができる。
【００６０】
また、従来、インターネット上のコミュニティサイトなど、人と人を結びつける出会いを提供するマッチング技術としては、コミュニティサイトを使用するにあたりデータベースに登録した個人情報をもとに、検索を行いパートナーを見つけるものがあった。しかし、この方法でテレビの協視聴（ネットワーク越しに録画情報を共有して同時に録画番組を視聴すること）を行うためのパートナー探しを行うと、個人の視聴傾向などの動的な情報が加味されることは無かったが、本実施の形態によれば、テレビの協視聴を行う場所に視聴時間の不一致やコミュニケーションの不一致などの不具合が発生するのを回避することができるため、テレビの協視聴を行うにあたり、もっとも適した相手を見つけることができる。
【００６１】
また、本実施の形態によれば、放送番組の録画の失敗、予約忘れ、複数の録画したい番組の放送時間の重複、地域ごとに放送される番組の種類や量の違い、家庭用録画機器の機能的限界、放送終了後に番組を知る等の様々な理由により番組を見逃した場合、利用者は、当該番組を録画している人と同時に当該録画番組を視聴できる。
【００６２】
また、本実施の形態によれば、ＳＮＳでつながった気の合う利用者同士が、バーチャルリビング、すなわち家庭内に準ずる空間にて個人的に録画番組を利用するため、私的使用のための複製として著作権侵害を回避することができる。
【００６３】
また、本実施の形態によれば、利用者の属性を活用したマッチング技術を用いて同期視聴を実現しているため、図２に示すように、同期視聴の開始時、終了時、一時停止時（例えば、トイレタイム等）に当該属性に基づいた利用者とＣＭのマッチングによりターゲットを絞ったＣＭの再生をさせることもでき（例えば、ＣＭバンクから端末ＡにＣＭαを、端末ＢにＣＭβを送信して出力装置２８にて表示させる等）、録画視聴においてＣＭの早送りがされた場合に生じていた、番組価値の低下を食い止めることができる。
【００６４】
また、本実施の形態によれば、このような新たな広告媒体の創造により、広告のスポンサー企業にとっては効果的なＣＭ（例えば、図３に示すように、商品購入やカタログ取り寄せをＣＭ画面上で操作できるような商品画像にメタデータが付与されたＣＭ等）も可能であり、広告代理店にとっては新たな市場の創出となり、ＳＮＳ運営者にとっては新たなユーザー獲得となり、システム提供者にとっては使用料を得ることができる。また、本実施の形態によれば、図４に示すように、放送局や広告のスポンサーにとっては録画視聴者の視聴率や視聴回数を知ることができる。また、本実施の形態によれば、運営者から利益分配を受けることで、図５に示すように、今まで得られなかった新たなビジネスモデル（例えば、放送局が利益分配を受ける等）の創出をすることができる。
【００６５】
また、本実施の形態によれば、同期視聴にＳＮＳを活用しているため、図６に示すように、好みの番組によってつながった新たな出会い系サービス（例えば、共聴履歴、生活リズム、ＳＮＳ登録の趣味、好み、年齢でのマッチングによる相手探し、過去視聴の条件や属性をポイント付けしたマッチングによる相手探し、相性の合わない相手の共視聴やマッチング候補からの除外等）を提供でき、図７に示すように、利用者間の同期視聴中にＴＶ電話サービスやアバターを利用してコミュニケーションサービス等を提供することで新たなテレビ視聴の方法を提供することができる。
【００６６】
以上で、本実施の形態の概要の説明を終える。
【００６７】
［本共視聴利用者推薦システムの構成（その１）］
次に、本実施の形態の本共視聴利用者推薦システムの構成について図８から図１６を参照して説明する。図８は、本システムの論理構成の一例を示すブロック図であり、該構成のうち本発明に関係する部分のみを概念的に示している。図８において、１０はセンター装置であり、１２は制御部であり、１２ａは視聴要求受信部であり、１２ｂは端末装置選択部であり、１２ｃは検索部であり、１２ｄは確認部であり、１２ｅは順位付け部であり、１２ｆは検索結果送信部であり、１２ｇは選択結果受信部であり、１２ｈは特定部であり、１２ｉは同期視聴要求送信部であり、１４は通信制御インターフェース部であり、１６は記憶部であり、１６ａは個人情報データベース（ＤＢ）であり、１６ｂはコンテンツ関連情報ＤＢであり、１６ｃは視聴履歴ＤＢである。図８において、２０は端末装置であり、２２は制御部であり、２２ａは電子番組表検索処理部であり、２２ｂは視聴要求送信部であり、２２ｃは検索結果受信部であり、２２ｄは検索結果出力部であり、２２ｅは選択結果送信部であり、２２ｆは同期視聴要求受信部であり、２２ｇは同期視聴要求出力部であり、２２ｈは出力配信部であり、２２ｉはコンテンツ格納部であり、２４は通信制御インターフェース部であり、２６は記憶部であり、２６ａはコンテンツＤＢである。図８において、３０はネットワークである。図８において、４０はＥＰＧサービス装置であり、４２は制御部であり、４４は通信制御インターフェース部であり、４６はＥＰＧデータベース（ＤＢ）である。
【００６８】
図８に示すように、本共視聴利用者推薦システムは、概略的に、記憶部１６と制御部１２とを少なくとも備えたセンター装置１０と、出力装置２８に接続され記憶部２６と制御部２２と入力部２７とを少なくとも備えた複数の端末装置２０とが、インターネット等のネットワーク３０を介して通信可能に接続して構成される。また、センター装置１０および端末装置２０は、ネットワーク３０を介して、ＥＰＧ  ＤＢ４６を少なくとも備えたＥＰＧサービス装置４０と通信可能に接続されている。
【００６９】
（センター装置１０の構成）
図８において、センター装置１０は、概略的に、センター装置１０の全体を統括的に制御するＣＰＵ等の制御部１２、通信制御インターフェース部１４、各種のデータベースやテーブルなどを格納する記憶部１６を備えて構成されており、これら各部は任意の通信路を介して通信可能に接続されている。
【００７０】
記憶部１６は、個人情報ＤＢ１６ａ、コンテンツ関連情報ＤＢ１６ｂ、視聴履歴ＤＢ１６ｃを備えている。
【００７１】
個人情報ＤＢ１６ａは、利用者同士の照合を行う際に用いる端末装置２０の利用者の属性に関する個人情報を記憶する個人情報記憶手段である。
【００７２】
ここで、図９を参照して個人情報ＤＢ１６ａに記憶されている個人情報の一例を示す。図９に示すように、個人情報ＤＢ１６ａは、利用者名、ニックネーム名、性別、年齢、誕生日、住所、出身地、趣味、職業、ユーザーコメント等の利用者情報を管理するテーブルや、利用者の所属するグループの名前、種別、オーナー名、アクセスレベル、グループについてのコメント、更新日時等のグループ情報を管理するテーブルや、グループの名前、利用者名、アクセスレベル、更新日時等の利用者とグループの関係を管理するテーブルを含んでいてもよい。
【００７３】
図８に戻り、コンテンツ関連情報ＤＢ１６ｂは、端末装置２０と当該端末装置２０のコンテンツＤＢ２６ａに記憶されているコンテンツとを対応付けたコンテンツ関連情報（例えば、端末ＩＤと番組名等）を記憶するコンテンツ関連情報記憶手段である。
【００７４】
ここで、図１０を参照してコンテンツ関連情報ＤＢ１６ｂに記憶されているコンテンツ関連情報の一例を示す。図１０に示すように、コンテンツ関連情報ＤＢ１６ｂは、端末を識別するＩＤ、電子番組表（ＥＰＧ）の番組を識別するコード、再生日時、更新日時等の録画済番組を管理するテーブルを含んでいてもよい。
【００７５】
図８に戻り、視聴履歴ＤＢ１６ｃは、端末装置２０で視聴された利用者が他の端末装置２０の利用者と同期視聴を行ったコンテンツの視聴履歴を端末装置２０ごとに記憶する視聴履歴記憶手段である。
【００７６】
ここで、図１１を参照して視聴履歴ＤＢ１６ｃに記憶されている視聴履歴の一例を示す。図１１に示すように、視聴履歴ＤＢ１６ｃは、端末装置２０の端末ＩＤ、端末装置２０のＩＰアドレス、設置場所、端末装置２０の所有者、更新日時等の端末情報を管理するテーブルや、同期視聴のコンテンツを送信した端末装置２０の端末ＩＤ、同期視聴のコンテンツを受信した端末装置２０の端末ＩＤ、同期視聴を行った日時、同期視聴を行ったＥＰＧコード、更新日時等の同期視聴の履歴を管理するテーブルや、同期視聴のコンテンツを送信した端末装置２０の端末ＩＤ、端末装置２０の電源状況、端末装置２０の状態、端末装置２０の詳細な状態、現在の状態の継続時間、更新日時等の端末装置２０の現在の状況を管理するテーブルを含んでいてもよい。
【００７７】
ここで、図１２に示すように、センター装置１０の記憶部１６に格納される個人情報ＤＢ１６ａ、コンテンツ関連情報ＤＢ１６ｂおよび視聴履歴ＤＢ１６ｃは任意の通信路を介して通信可能に接続され、ネットワーク３０を介してＥＰＧサービス装置４０に格納されるＥＰＧ  ＤＢ４６と通信可能に接続されており、それらを介してデータの共有および更新等が行われてもよい。図１２は、本システムにおけるデータベースの関連の一例を示す図である。
【００７８】
図８に戻り、通信制御インターフェース部１４は、センター装置１０とネットワーク３０との間における通信制御を行う。
【００７９】
制御部１２は、ＯＳ（Ｏｐｅｒａｔｉｎｇ  Ｓｙｓｔｅｍ）等の制御プログラムや、各種の処理手順等を規定したプログラム、および、所要データを格納するための内部メモリを有する。そして、制御部１２は、これらのプログラム等により、種々の処理を実行するための情報処理を行う。制御部１２は、機能概念的に、視聴要求受信部１２ａ、端末装置選択部１２ｂ、検索部１２ｃ、確認部１２ｄ、順位付け部１２ｅ、検索結果送信部１２ｆ、選択結果受信部１２ｇ、特定部１２ｈ、同期視聴要求送信部１２ｉを備えて構成されている。
【００８０】
視聴要求受信部１２ａは、端末装置２０の利用者を識別する利用者識別情報と当該利用者が視聴を所望するコンテンツを識別するコンテンツ識別情報とを含む端末装置２０から送信された視聴要求を受信する視聴要求受信手段である。なお、視聴要求受信部１２ａは、端末装置２０から送信された当該端末装置２０の利用者を識別する利用者識別情報を含む視聴要求を受信してもよい。
【００８１】
端末装置選択部１２ｂは、視聴要求受信部１２ａにて受信された視聴要求に含まれている利用者識別情報にて特定される利用者の個人情報と当該利用者の端末装置２０以外の他の端末装置２０の利用者の個人情報とを個人情報ＤＢ１６ａを参照しながら照合することによって、他の端末装置２０を選択する端末装置選択手段である。
【００８２】
ここで、「照合」とは、利用者の年齢や嗜好といった属性やスケジュールや好みのコンテンツ等の情報から一致する項目の多い相手を探すマッチング処理である。例えば、図１３に示すように、マッチング処理とは、同期視聴を依頼した利用者と他の利用者とに関する個人属性、会員情報、録画予約状況、録画済状況、共聴回数、視聴する番組のジャンル、視聴時刻等に基づいて同期視聴や同期視聴の予約依頼に適した相手を絞り込む処理である。その際、当該処理は、同期視聴を依頼した利用者が、同期視聴に適した相手を選びやすいようにランキング表示されるように処理してもよい。また、同期視聴やその予約が成立した場合、同期視聴を行った利用者の個人情報を更新するようにしてもよい。
【００８３】
図８に戻り、検索部１２ｃは、端末装置選択部１２ｂにて選択された他の端末装置２０であって視聴要求に含まれているコンテンツ識別情報にて特定されるコンテンツを記憶しているものを、コンテンツ関連情報記憶ＤＢ１６ｂに記憶されているコンテンツ関連情報に基づいて検索する検索手段である。なお、検索部１２ｃは、後述する確認部１２ｄにて使用状況が確認された他の端末装置２０に記憶されているコンテンツを、コンテンツ関連情報ＤＢ１６ｂに記憶されているコンテンツ関連情報に基づいて検索してもよい。
【００８４】
確認部１２ｄは、検索部１２ｃにて検索された他の端末装置２０の使用状況を確認する確認手段である。なお、確認部１２ｄは、端末装置選択部１２ｂにて選択された他の端末装置２０の使用状況を確認してもよい。
【００８５】
順位付け部１２ｅは、検索部１２ｃにて検索された他の端末装置２０を、視聴履歴ＤＢ１６ｃに記憶されている視聴履歴に基づいて順位付けする順位付け手段である。
【００８６】
検索結果送信部１２ｆは、確認部１２ｄにて使用状況が確認された他の端末装置２０に関する検索結果を、視聴要求にて特定される端末装置２０に送信する検索結果送信手段である。なお、検索結果送信部１２ｆは、順位付け部１２ｅにて順位付けされた順位を更に送信してもよい。また、検索結果送信部１２ｆは、検索部１２ｃにて検索されたコンテンツに関する検索結果を、視聴要求にて特定される端末装置２０に送信してもよい。
【００８７】
選択結果受信部１２ｇは、検索結果送信部１２ｆにて送信された検索結果に対して視聴要求にて特定される端末装置２０にて選択された他の端末装置２０に関する当該端末装置２０から送信された選択結果を受信する選択結果受信手段である。なお、選択結果受信部１２ｇは、検索結果送信部１２ｆにて送信された検索結果に対して視聴要求にて特定される端末装置２０にて選択されたコンテンツに関する当該端末装置２０から送信された選択結果を受信してもよい。
【００８８】
特定部１２ｈは、選択結果受信部１２ｇにて受信された選択結果にて特定されるコンテンツを記憶している他の端末装置２０を、コンテンツ関連情報ＤＢ１６ｂに記憶されたコンテンツ関連情報に基づいて特定する特定手段である。
【００８９】
同期視聴要求送信部１２ｉは、選択結果受信部１２ｇにて受信された選択結果にて特定される他の端末装置２０に、視聴要求に含まれているコンテンツ識別情報と当該視聴要求にて特定される端末装置２０を識別する端末識別情報とを含む同期視聴要求を送信する同期視聴要求送信手段である。なお、同期視聴要求送信部１２ｉは、順位付け部１２ｅにて順位付けした他の端末装置２０の順位を更に送信してもよい。また、同期視聴要求送信部１２ｉは、特定部１２ｈにて特定された他の端末装置２０に、選択結果にて特定されるコンテンツを識別するコンテンツ識別情報と視聴要求にて特定される端末装置２０を識別する端末識別情報とを含む同期視聴要求を送信してもよい。
【００９０】
（端末装置２０の構成）
次に、図８において、端末装置２０は、概略的に、端末装置２０の全体を統括的に制御するＣＰＵ等の制御部２２、通信制御インターフェース部２４、入力部２７や出力装置２８に接続される入出力制御インターフェース部２５、各種のデータベースやテーブルなどを格納する記憶部２６を備えて構成されており、これら各部は任意の通信路を介して通信可能に接続されている。
【００９１】
図８において、入出力制御インターフェース部２５は、入力部２７や出力装置２８の制御を行う。ここで、入力部２７としては、キーボード、マウス、およびマイク等を用いることができる。また、出力装置２８としては、コンテンツを表示するモニタ（例えば、液晶ディスプレイや有機ＥＬ（Ｅｌｅｃｔｒｏ−Ｌｕｍｉｎｅｓｃｅｎｃｅ）ディスプレイやプラズマディスプレイ等から構成される家庭用テレビを含む）の他、スピーカを用いることができる。
【００９２】
記憶部２６はコンテンツＤＢ２６ａを備えている。コンテンツＤＢ２６ａは、後述するコンテンツ格納部２２ｉにて録画等されるコンテンツを記憶するコンテンツ記憶手段である。
【００９３】
通信制御インターフェース部２４は、端末装置２０とネットワーク３０との間における通信制御を行う。
【００９４】
制御部２２は、ＯＳ（Ｏｐｅｒａｔｉｎｇ  Ｓｙｓｔｅｍ）等の制御プログラムや、各種の処理手順等を規定したプログラム、および、所要データを格納するための内部メモリを有する。そして、制御部２２は、これらのプログラム等により、種々の処理を実行するための情報処理を行う。制御部２２は、機能概念的に、電子番組表検索処理部２２ａ、視聴要求送信部２２ｂ、検索結果受信部２２ｃ、検索結果出力部２２ｄ、選択結果送信部２２ｅ、同期視聴要求受信部２２ｆ、同期視聴要求出力部２２ｇ、出力配信部２２ｈ、コンテンツ格納部２２ｉを備えて構成されている。
【００９５】
電子番組表検索処理部２２ａは、ＥＰＧサービス装置４０のＥＰＧ  ＤＢ４６に記憶された電子番組表を当該端末装置２０に接続されている出力装置２８に、入力部２７にて選択可能に出力し、電子番組表から選択されたコンテンツを利用者が視聴を所望するコンテンツとする電子番組表検索処理手段である。
【００９６】
視聴要求送信部２２ｂは、端末装置２０の利用者を識別する利用者識別情報と当該利用者が視聴を所望するコンテンツを識別するコンテンツ識別情報とを含む視聴要求をセンター装置１０に送信する視聴要求送信手段である。なお、視聴要求送信部２２ｂは、端末装置２０の利用者を識別する利用者識別情報を含む視聴要求をセンター装置１０に送信してもよい。
【００９７】
検索結果受信部２２ｃは、センター装置１０から送信された他の端末装置２０に関する検索結果またはコンテンツに関する検索結果を受信する検索結果受信手段である。
【００９８】
検索結果出力部２２ｄは、検索結果受信部２２ｃにて受信された検索結果を、当該端末装置２０に接続されている出力装置２８に、入力部２７にて選択可能に出力する検索結果出力手段である。
【００９９】
選択結果送信部２２ｅは、検索結果出力部２２ｄにて出力された検索結果に対して入力部２７にて選択された他の端末装置２０に関する選択結果またはコンテンツに関する選択結果を、センター装置１０に送信する選択結果送信手段である。
【０１００】
同期視聴要求受信部２２ｆは、センター装置１０から送信された同期視聴要求を受信する同期視聴要求受信手段である。なお、同期視聴要求受信部２２ｆは、センター装置１０から送信された順位を更に受信してもよい。
【０１０１】
同期視聴要求出力部２２ｇは、同期視聴要求受信部２２ｆにて受信された同期視聴要求を許可するか否かを、当該端末装置２０に接続されている出力装置２８に、入力部２７にて選択可能に出力する同期視聴要求出力手段である。なお、同期視聴要求出力部２２ｇは、同期視聴要求受信部２２ｆにて受信された順位を、当該端末装置２０に接続されている出力装置２８に更に出力してもよい。
【０１０２】
出力配信部２２ｈは、同期視聴要求出力部２２ｇにて出力された同期視聴要求を許可すると入力部２７にて選択された場合、当該端末装置２０のコンテンツＤＢ２６ａに記憶されているコンテンツであって当該同期視聴要求に含まれているコンテンツ識別情報にて特定されるものを、当該端末装置２０に接続されている出力装置２８に出力すると共に当該同期視聴要求に含まれている端末識別情報にて特定される端末装置２０にストリーミング配信する出力配信手段である。
【０１０３】
コンテンツ格納部２２ｉは、コンテンツを録画および録音し、記憶部２６のコンテンツＤＢ２６ａに保存するコンテンツ格納手段である。
【０１０４】
（ＥＰＧサービス装置４０の構成）
次に、図８において、ＥＰＧサービス装置４０は、概略的に、ＥＰＧサービス装置４０の全体を統括的に制御するＣＰＵ等の制御部４２、通信制御インターフェース部４４、電子番組表などを格納するＥＰＧ  ＤＢ４６を備えて構成されており、これら各部は任意の通信路を介して通信可能に接続されている。
【０１０５】
ＥＰＧ  ＤＢ４６は、放送番組表をテレビの画面等に表示するための電子番組表データを記憶する電子番組表記憶手段である。
【０１０６】
ここで、図１４を参照してＥＰＧ  ＤＢ４６に記憶されている電子番組表情報の一例を示す。図１４に示すように、ＥＰＧ  ＤＢ４６は、電子番組表の番組を識別するコード、番組のジャンル、番組タイトル、番組説明、番組のイメージ情報等の電子番組表を管理するテーブルを含んでいてもよい。
【０１０７】
図８に戻り、通信制御インターフェース部４４は、ＥＰＧサービス装置４０とネットワーク３０との間における通信制御を行う。
【０１０８】
制御部４２は、ＯＳ（Ｏｐｅｒａｔｉｎｇ  Ｓｙｓｔｅｍ）等の制御プログラムや、各種の処理手順等を規定したプログラム、および、所要データを格納するための内部メモリを有する。そして、制御部４２は、これらのプログラム等により、種々の処理を実行するための情報処理を行う。
【０１０９】
［本共視聴利用者推薦システムの構成（その２）］
図１５は、本システムの共視聴利用者推薦システムの構成の一例を示すブロック図である。なお、上述した説明と同じものを省略する場合がある。図１５において、端末は図８における端末装置２０に相当し、ＥＰＧサービスは図８におけるＥＰＧサービス装置４０に相当し、センターは図８におけるセンター装置１０に相当する。
【０１１０】
（センターの構成）
図１５において、個人情報ＤＢは図８における個人情報ＤＢ１６ａに相当し、録画情報ＤＢは図８におけるコンテンツ関連情報ＤＢ１６ｂに相当し、端末履歴ＤＢは図８における視聴履歴ＤＢ１６ｃに相当する。また、通信管理部は図８における視聴要求受信部１２ａに相当し、通信管理部、個人情報管理部および嗜好解析部は図８における端末装置選択部１２ｂに相当し、通信管理部および共視聴コンテンツ管理部は図８における検索部１２ｃに相当し、通信管理部および端末管理部は図８における確認部１２ｄおよび順位付け部１２ｅに相当し、通信管理部は図８における検索結果送信部１２ｆに相当し、通信管理部および個人適用情報選択部は図８における選択結果受信部１２ｇに相当し、予約調停部は図８における同期視聴要求送信部１２ｉに相当する。また、図１５において、通信管理部および個人適用情報選択部は図８における視聴要求受信部１２ａに相当し、個人適用情報選択部、個人情報管理部および嗜好解析部は図８における端末装置選択部１２ｂに相当し、個人適用情報選択部および共視聴コンテンツ管理部は図８における検索部１２ｃに相当し、通信管理部および個人適用情報選択部は図８における確認部１２ｄに相当し、通信管理部および個人適用情報選択部は図８における検索結果送信部１２ｆに相当し、通信管理部は図８における選択結果受信部１２ｇに相当し、通信管理部および個人適用情報選択部は図８における特定部１２ｈに相当し、個人適用情報選択部および端末管理部は順位付け部１２ｅに相当し、通信管理部および予約調停部は図８における同期視聴要求送信部１２ｉに相当してもよい。また、図１５において、通信管理部および個人適用情報選択部は図８における視聴要求受信部１２ａに相当し、個人適用情報選択部、個人情報管理部および嗜好解析部は図８における端末装置選択部１２ｂに相当し、個人適用情報選択部および共視聴コンテンツ管理部は図８における検索部１２ｃに相当し、個人適用情報選択部および端末管理部は図８における確認部１２ｄおよび順位付け部１２ｅに相当し、通信管理部および個人適用情報選択部は図８における検索結果送信部１２ｆに相当し、通信管理部および個人適用情報選択部は図８における選択結果受信部１２ｇに相当し、通信管理部および予約調停部は図８における同期視聴要求送信部１２ｉに相当してもよい。
【０１１１】
（端末の構成）
図１５において、ＨＤＤは図８におけるコンテンツＤＢ２６ａに相当し、電子番組表検索処理部は図８における電子番組表検索処理部２２ａに相当し、通信管理部は図８における視聴要求送信部２２ｂおよび選択結果送信部２２ｅに相当し、情報表示処理部は図８における検索結果受信部２２ｃに相当し、録画ユーザー検索処理部は図８における検索結果出力部２２ｄに相当し、共視聴依頼処理部は図８における同期視聴要求受信部２２ｆに相当し、情報入力処理部は図８において同期視聴要求出力部２２ｇに相当し、共視聴依頼処理部および通信管理部は図８における出力配信部２２ｈに相当し、ＴＶ受信処理部およびＴＶ録画処理部は図８におけるコンテンツ格納部２２ｉに相当する。
【０１１２】
（ＥＰＧサービスの構成）
図１５において、ＥＰＧ  ＤＢは図８におけるＥＰＧ  ＤＢ４６に相当し、通信を管理する通信管理部、電子番組表を検索するＥＰＧ検索処理部および過去の電子番組表を検索する過去のＥＰＧ検索処理部は図８における制御部４２に相当する。
【０１１３】
［本共視聴利用者推薦システムの構成（その３）］
図１６は、本システムの共視聴利用者推薦システムの構成の一例を示すブロック図である。本システムでは、図８におけるセンター装置１０をＰｌａｔｆｏｒｍとＳＮＳとの別筐体とする。なお、上述した説明と同じものを省略する場合がある。
【０１１４】
（Ｐｌａｔｆｏｒｍの構成）
図１６において、録画情報ＤＢは図８におけるコンテンツ関連情報ＤＢ１６ｂに相当し、端末履歴ＤＢは図８における視聴履歴ＤＢ１６ｃに相当し、端末ＤＢは図８における個人情報ＤＢ１６ａおよび視聴履歴ＤＢ１６ｃに相当する。また、接続（通信）管理部は図８における視聴要求受信部１２ａに相当し、接続管理部および嗜好解析部は図８における端末装置選択部１２ｂに相当し、接続管理部および共聴コンテンツ管理部は図８における検索部１２ｃに相当し、接続管理部および端末履歴管理部は図８における確認部１２ｄおよび順位付け部１２ｅに相当し、接続管理部は図８における検索結果送信部１２ｆに相当し、接続管理部およびマッチング部（個人適用情報選択部）は図８における選択結果受信部１２ｇに相当し、マッチング部は図８における同期視聴要求送信部１２ｉに相当する。更に、Ｐｌａｔｆｏｒｍは、録画視聴率を統計管理する統計管理部、ＣＭ挿入制御ファイルの作成を行う制御情報作成部、入出力制御を行う入出力部、ＣＭ情報やＵＲＬや属性等を記憶するコンテンツ情報ＤＢを備えて構成されており、これら各部は任意の通信路を介して通信可能に接続されている。また、Ｐｌａｔｆｏｒｍは、ＳＮＳと任意の通信路、または、ネットワークを介して通信可能に接続されている。
【０１１５】
（ＳＮＳの構成）
図１６において、個人情報ＤＢは図８における個人情報ＤＢ１６ａに相当し、個人情報管理部は図８における端末装置選択部１２ｂに相当し、これら各部は任意の通信路を介して通信可能に接続されている。
【０１１６】
以上で、本共視聴利用者推薦システムの構成の説明を終える。
【０１１７】
［共視聴利用者推薦処理（その１）］
図１７は、本システムで行われる共視聴利用者推薦処理の一例を示すシーケンス図である。なお、上述した説明と同じものを省略する場合がある。
【０１１８】
まず、端末Ａは、ＥＰＧサービスのＥＰＧ  ＤＢに記憶された電子番組表を当該端末にて選択可能に出力する（ステップＳＡ１）。
【０１１９】
そして、利用者により電子番組表から番組が選択されると、端末Ａは、当該端末の利用者を識別する利用者識別情報（例えば、端末機器ＩＤ等）と電子番組表上で選択された当該利用者が視聴を所望するコンテンツを識別するコンテンツ識別情報（例えば、番組情報等）とを含む視聴要求をセンターに送信し、通信管理部は、視聴要求を受信する（ステップＳＡ２）。
【０１２０】
そして、嗜好解析部は、通信管理部にて受信された視聴要求に含まれている利用者識別情報にて特定される端末Ａの利用者の個人情報（例えば、自分属性、友達リスト、属性、回線の太さ等）と端末Ａ以外の他の端末の利用者の個人情報とを個人情報管理部を介して個人情報ＤＢを参照しながら照合し、通信管理部は、他の端末を選択する（ステップＳＡ３）。
【０１２１】
そして、通信管理部は、ステップＳＡ３にて選択された他の端末であって視聴要求に含まれているコンテンツ識別情報にて特定されるコンテンツを記憶しているものを、共視聴コンテンツ管理部を介して録画情報ＤＢに記憶されているコンテンツ関連情報に基づいて検索し、録画端末情報を得る（ステップＳＡ４）。
【０１２２】
そして、通信管理部は、ステップＳＡ４にて検索された他の端末の端末情報に基づいて、当該端末の使用状況（例えば、死活情報、視聴時間履歴等）を確認する（ステップＳＡ５）。ここで、通信管理部は、使用状況が確認された他の端末を、端末履歴ＤＢに記憶されている視聴履歴に基づいて順位付けしてもよい。
【０１２３】
ここで、図１８を参照してステップＳＡ５の処理の一例を説明する。図１８（１）に示すように、端末の使用状況は、端末でのイベントの変化（例えば、ＴＶやＤＶＲの電源のＯＮやＯＦＦ、各種のコマンド入力等）があった場合に、端末情報（例えば、端末機器ＩＤ、家族特定情報）と共にセンターへ通知されてもよい。また、図１８（２）に示すように、端末の使用状況は、センターが定期的に端末の死活監視（一例として、ｐｉｎｇによる監視、ポート接続による稼動監視等）をし、端末情報と動作情報（例えば、ＴＶ、ＤＶＲの電源等）と共にセンターへ通知されてもよい。また、図１８（３）に示すように、端末の使用状況は、端末が定期的に端末情報と動作情報と共にセンターへ通知してもよい。
【０１２４】
図１７に戻り、通信管理部は、ステップＳＡ５にて使用状況が確認された他の端末に関する検索結果（例えば、録画ユーザー一覧等）を、端末Ａに送信し、端末Ａは、センターから受信した検索結果を、当該端末に選択可能に出力する（ステップＳＡ６）。ここで、通信管理部は、ステップＳＡ５にて順位付けされた順位を更に送信してもよい。
【０１２５】
ここで、図１９を参照して、ステップＳＡ６の処理において端末にて出力される出力画面の一例について説明する。図１９左図に示すように、端末には、検索結果が表示されている。一例として、「ユーザー」、「番組」、「協視聴ランキング」、「状態」が表示されている。ここで、検索結果の表示は、ステップＳＡ５にて順位付けされた順位に従って上から表示してもよい。
【０１２６】
図１７に戻り、端末Ａは、出力された検索結果に対して利用者により選択された選択結果（例えば、端末機器ＩＤ、録画情報、視聴要求時間等）を、センターに送信し、個人適用情報選択部は、通信管理部を介して当該選択結果を受信する（ステップＳＡ７）。
【０１２７】
そして、予約調停部は、個人適用情報選択部にて受信された選択結果にて特定される端末Ｂに、視聴要求に含まれているコンテンツ識別情報と端末Ａを識別する端末識別情報とを含む同期視聴要求（例えば、録画情報、視聴要求時間等）を送信し、同期視聴要求を許可するか否かを、端末Ｂに選択可能に出力させる（ステップＳＡ８）。ここで、予約調停部は、ステップＳＡ５にて順位付けした端末Ｂの順位を更に送信してもよい。
【０１２８】
そして、予約調停部は、端末Ｂから送信された共視聴の可否を受信する（ステップＳＡ９）。
【０１２９】
そして、予約調停部は、通信管理部を介してステップＳＡ９にて受信した当該共視聴の可否を端末Ａに送信する（ステップＳＡ１０）。
【０１３０】
そして、端末Ｂの利用者が共視聴を許可した場合、端末Ａと端末Ｂの共視聴が開始する（ステップＳＡ１１）。
【０１３１】
ここで、ステップＳＡ８〜ステップＳＡ１１の詳細について、図１９および図２０を参照して説明する。図２０は、本システムで行われる同期視聴要求の処理の一例を示す図である。
【０１３２】
まず、予約調停部および個人適用情報選択部は、通信管理部を介して協聴要求を端末に送信し、当該端末に協聴要求についての画面を選択可能に出力させる（ステップＳＢ１）。
【０１３３】
ここで、図１９を参照して、ステップＳＢ２の処理において端末に表示される画面の一例について説明する。図１９右図に示すように、画面には、「シンクロしまＳＨＯＷ」というアイコン、協聴要求されている番組名と回答要求、協聴する相手との視聴履歴が表示されている。ここで、視聴履歴の表示は、ステップＳＡ５にて順位付けされた順位に従って上から表示してもよい。
【０１３４】
図２０に戻り、端末は、画面に表示されたアイコンが選択されると、協聴要求した端末の利用者の詳細情報（例えば、端末機器ＩＤ、録画情報、時間、友達ＳＮＳ  ＩＤ等）を出力する（ステップＳＢ２）。
【０１３５】
そして、端末にて協聴依頼が選択された場合、端末は、協聴回答をセンターに送信し、予約調停部および個人適用情報選択部は、通信管理部を介して協聴要求を受信する（ステップＳＢ３）。
【０１３６】
そして、予約調停部および個人適用情報選択部は、協聴要求をした利用者の端末に協聴相手情報を送信し、協視聴を開始させる（ステップＳＢ４）。
【０１３７】
［共視聴利用者推薦処理（その２）］
図２１は、図１５に示す共視聴利用者推薦システムで行われる共視聴利用者推薦処理の一例を示すシーケンス図である。なお、上述した説明と同じものを省略する場合がある。
【０１３８】
まず、ユーザーが協聴ボタンを押すと、端末は、当該端末の利用者を識別する利用者識別情報（例えば、端末機器ＩＤ等）を含む視聴要求をセンターに送信し、個人適用情報選択部は、通信管理部を介して端末から送信された視聴要求を受信する（ステップＳＣ１）。
【０１３９】
そして、嗜好解析部は、個人適用情報選択部にて受信された視聴要求に含まれている利用者識別情報にて特定される利用者の個人情報と当該利用者の端末以外の他の端末の利用者の個人情報とを個人情報管理部を介して個人情報ＤＢを参照しながら照合し、個人適用情報選択部は、他の端末を選択する（ステップＳＣ２）。
【０１４０】
そして、個人適用情報選択部は、ステップＳＣ２にて選択された他の端末の使用状況を通信管理部を介して確認する（ステップＳＣ３）。
【０１４１】
そして、個人適用情報選択部は、使用状況が確認された他の端末に記憶されているコンテンツを、協調コンテンツ管理部を介して録画情報ＤＢに記憶されているコンテンツ関連情報に基づいて検索する（ステップＳＣ４）。
【０１４２】
そして、個人適用情報選択部は、ステップＳＣ４にて検索されたコンテンツに関する検索結果を、通信管理部を介して視聴要求にて特定される端末に送信し、当該端末にて受信された当該検索結果を、当該端末に選択可能に出力させる（ステップＳＣ５）。
【０１４３】
そして、端末は、ステップＳＣ５にて出力された検索結果に対して利用者により選択された選択結果をセンターに送信し、通信管理部は、当該端末から送信された当該選択結果を受信する（ステップＳＣ６）。
【０１４４】
そして、個人適用情報選択部は、通信管理部にて受信された選択結果にて特定されるコンテンツを記憶している他の端末を、録画情報ＤＢに記憶されたコンテンツ関連情報に基づいて特定する（ステップＳＣ７）。
【０１４５】
そして、端末管理部は、ステップＳＣ７にて特定された他の端末を、端末履歴ＤＢに基づいて順位付けする（ステップＳＣ８）。
【０１４６】
そして、予約調停部は、ステップＳＣ７にて特定された他の端末に、通信管理部を介して選択結果にて特定されるコンテンツを識別するコンテンツ識別情報（例えば、録画情報、時間等）と視聴要求にて特定される端末を識別する端末識別情報（例えば、端末ＩＤ、友達ＳＮＳ  ＩＤ等）とを含む協聴要求を送信する（ステップＳＣ９）。ここで、予約調停部は、ステップＳＣ８にて最上位に順位付けされた他の端末に、協聴要求を送信してもよく、ステップＳＣ８にて順位付けした他の端末の順位を更に送信してもよい。
【０１４７】
そして、端末は、センターから送信された協聴要求を受信し、受信された同期視聴要求を許可するか否かを、当該端末に選択可能に出力する（ステップＳＣ１０）。ここで、当該端末は、センターから送信された順位を更に受信し、受信された順位を、当該端末に更に出力してもよい。
【０１４８】
そして、端末は、協聴要求を許可すると利用者により選択された場合、センターに協聴の許可を送信し、予約調停部は、通信管理部を介して端末から共聴の許可を受信する（ステップＳＣ１１）。
【０１４９】
そして、予約調停部は、通信管理部を介して協聴要求をした端末に協聴相手の情報（例えば、端末ＩＤ、録画情報、時間、友達ＳＮＳ  ＩＤ等）を送信する（ステップＳＣ１２）。
【０１５０】
そして、端末は、協聴相手の情報を、当該端末に表示させ、協聴を許可した他の端末との間で協聴を開始する（ステップＳＣ１３）。
【０１５１】
［共視聴利用者推薦処理（その３）］
図２２は、図１５に示す共視聴利用者推薦システムで行われる共視聴利用者推薦処理の一例を示すシーケンス図である。なお、上述した説明と同じものを省略する場合がある。また、図２２において、端末ＤＢは図１５における個人情報ＤＢおよび端末履歴ＤＢに相当する。
【０１５２】
まず、利用者がＥＰＧ上の予約ボタンを押すと、端末は、当該端末の利用者を識別する利用者識別情報（例えば、端末機器ＩＤ等）と電子番組表上で選択された当該利用者が視聴を所望するコンテンツを識別するコンテンツ識別情報（例えば、番組情報等）とを含む視聴要求をセンターに送信し、個人適用情報選択部は、通信管理部を介して視聴要求を受信する（ステップＳＤ１）。
【０１５３】
そして、嗜好解析部は、ステップＳＤ１にて受信された視聴要求に含まれている利用者識別情報（例えば、ＳＮＳ  ＩＤ等）にて特定される端末の利用者の個人情報（例えば、自属性、友達リスト、属性、回線の太さ等）と当該端末以外の他の端末の利用者の個人情報とを個人情報管理部を介して個人情報ＤＢを参照しながら照合し、個人適用情報選択部は、他の端末を選択する（ステップＳＤ２）。
【０１５４】
そして、個人適用情報選択部は、ステップＳＤ２にて選択された他の端末であって視聴要求に含まれているコンテンツ識別情報にて特定されるコンテンツを記憶しているものを、協調コンテンツ管理部を介して録画情報ＤＢに記憶されているコンテンツ関連情報に基づいて検索し、録画端末情報を得る（ステップＳＤ３）。
【０１５５】
そして、個人適用情報選択部は、ステップＳＤ３にて検索された他の端末の端末情報に基づいて、当該端末の使用状況（例えば、視聴時間履歴等）を確認し、端末履歴ＤＢに記憶されている視聴履歴に基づいて順位付けする（ステップＳＤ４）。
【０１５６】
そして、個人適用情報選択部は、ステップＳＤ４にて使用状況が確認された他の端末に関する検索結果（例えば、端末機器ＩＤ、録画情報、時間、ランキング情報、友達ＳＮＳ  ＩＤ等）を、通信管理部を介して視聴要求にて特定される端末に送信し、当該端末は、センターから受信した検索結果を、当該端末に選択可能に出力する（ステップＳＤ５）。
【０１５７】
そして、端末は、出力された検索結果に対して利用者により選択された選択結果（例えば、端末機器ＩＤ、選択ＳＮＳ  ＩＤ等）をセンターに送信し、予約調停部は、通信管理部を介して当該選択結果を受信する（ステップＳＤ６）。
【０１５８】
そして、予約調停部は、当該選択結果にて特定される端末に、視聴要求に含まれているコンテンツ識別情報と視聴要求にて特定される端末を識別する端末識別情報（例えば、端末ＩＤ、友達ＳＮＳ  ＩＤ等）とを含む共聴要求（例えば、指定番組情報、時間候補等）を送信し、共聴要求、時間候補および共聴要求を許可するか否かの表示を、選択結果にて特定される端末に選択可能に出力させる（ステップＳＤ７）。
【０１５９】
そして、端末は、出力された共聴要求を許可するか否かの表示に対して利用者により選択された回答（例えば、端末機器ＩＤ、時間等）をセンターに送信し、予約調停部は、通信管理部を介して当該回答を受信する（ステップＳＤ８）。
【０１６０】
そして、予約調停部は、視聴要求にて特定される端末に、通信管理部を介して当該回答の結果を送信し、当該端末に当該結果（例えば、予約完了、時間表示等）を出力させる（ステップＳＤ９）。
【０１６１】
また、予約調停部は、当該回答に基づいて個人情報ＤＢに格納されているこれらの端末の個人情報（例えば、ＳＮＳ  ＩＤ、共聴情報、嗜好情報、時間等）の更新を個人情報管理部を介して行う（ステップＳＤ１０）。
【０１６２】
そして、予約調停部は、視聴要求が許可された場合、通信管理部を介して端末ＤＢを参照しながら共聴を実行する端末情報（例えば、端末機器ＩＤ、端末ＩＰアドレス等）を確認して、両端末に共聴実行通知を行い、ＰｔｏＰ（Ｐｅｅｒ  ｔｏ  Ｐｅｅｒ）接続による協聴を開始させる（ステップＳＤ１１）。ここで、ＰｔｏＰとは、ネットワーク上で特定のサーバを持たなくとも、ネットワーク上のコンピュータがクライアントとしてもサーバとしても働くように構成されたにネットワーク技術やアプリケーションである。
【０１６３】
［共視聴利用者推薦処理（その４）］
図２３は、図１５に示す共視聴利用者推薦システムで行われる共視聴利用者推薦処理の一例を示すシーケンス図である。なお、上述した説明と同じものを省略する場合がある。
【０１６４】
まず、図２３に示すステップＳＥ１からステップＳＥ２までの説明は、図２２に示すステップＳＤ１からステップＳＤ２までと同じであるため省略する。
【０１６５】
次に、図２３に示すように、個人適用情報選択部は、ステップＳＥ２にて選択された他の端末の端末情報に基づいて、当該端末の使用状況（例えば、視聴時間履歴等）を確認し、端末履歴ＤＢに記憶されている視聴履歴に基づいて順位付けする（ステップＳＥ３）。
【０１６６】
そして、個人適用情報選択部は、ステップＳＥ２にて順位付けされた他の端末であって視聴要求に含まれているコンテンツ識別情報にて特定されるコンテンツを記憶しているものを、協調コンテンツ管理部を介して録画情報ＤＢに記憶されているコンテンツ関連情報に基づいて検索し、録画端末情報を得る（ステップＳＥ４）。
【０１６７】
ここで、図２３に示すステップＳＥ５からステップＳＥ１１までの説明は、図２２に示すステップＳＤ５からステップＳＤ１１までと同じであるため省略する。
【０１６８】
［共視聴利用者推薦処理（その５）］
図２４は、図１６に示す共視聴利用者推薦システムで行われる共視聴利用者推薦処理の一例を示すシーケンス図である。なお、上述した説明と同じものを省略する場合がある。ここで、図２４において、図１６におけるＰｌａｔｆｏｒｍはＰｌａｔ  Ｆｏｒｍに相当する。図２４において、端末は図８における端末装置２０に相当する。
【０１６９】
まず、利用者により予約ボタンが押されると、端末は視聴要求をＰｌａｔ  Ｆｏｒｍに送信し、マッチング部は、視聴要求を受信する（ステップＳＦ１）。
【０１７０】
そして、嗜好解析部は、ステップＳＦ１にて受信された視聴要求に含まれている利用者識別情報にて特定される端末の利用者の個人情報（例えば、自属性、友達リスト、属性等）と端末以外の他の端末の利用者の個人情報とを個人情報管理部を介して個人情報ＤＢを参照しながら照合し、マッチング部は、他の端末を有する利用者を選択して絞り込む（ステップＳＦ２）。
【０１７１】
そして、マッチング部は、ステップＳＦ２にて選択された他の端末であって視聴要求に含まれているコンテンツ識別情報にて特定されるコンテンツを記憶しているものを、コンテンツ管理部を介して録画情報ＤＢに記憶されているコンテンツ関連情報に基づいて検索し、検索された他の端末の端末情報（例えば、ジャンル、録画データ等）に基づいて、当該端末の使用状況（例えば、共聴回数、生放送を見ない時間、録画視聴多い時間、録画予約が無い時間等）を確認し、端末同士のマッチング処理を行う（ステップＳＦ３）。
【０１７２】
そして、マッチング部は、ステップＳＦ３にて使用状況が確認された他の端末に関する検索結果（例えば、保有者／予約者の候補ランキング等）を、通信管理部を介して視聴要求にて特定される端末に送信し、当該端末は、センターから受信した検索結果を、当該端末に選択可能に出力する（ステップＳＦ４）。
【０１７３】
そして、端末は、出力された検索結果に対して選択された選択結果（例えば、共聴打診、詳細時間等）を、Ｐｌａｔ  Ｆｏｒｍに送信し、マッチング部は、当該選択結果を受信する（ステップＳＦ５）。
【０１７４】
そして、マッチング部は、当該選択結果にて特定される端末に、共聴要求を送信し、共聴要求、共聴要求を許可するか否かの表示を、当該端末に選択可能に出力させる（ステップＳＦ６）。
【０１７５】
そして、端末は、出力された共聴要求を許可するか否かの表示に対して回答（例えば、Ｙｅｓ／Ｎｏ、時間等）を、センターに送信し、マッチング部は、当該回答を受信する（ステップＳＦ７）。
【０１７６】
そして、マッチング部は、視聴要求にて特定される端末に、当該回答の結果を送信し、当該端末に当該結果（例えば、予約完了、時間表示等）を出力させる（ステップＳＦ８）。
【０１７７】
そして、マッチング部は、当該回答に基づいて個人情報ＤＢに格納されているこれらの端末の個人情報（例えば、嗜好、視聴時間共聴数等）の更新を個人情報管理部を介して行う（ステップＳＦ９）。
【０１７８】
そして、マッチング部は、視聴要求が許可された場合、端末ＤＢを参照しながら共聴を実行する端末情報を確認して、両端末に共聴実行通知を行い、ＰｔｏＰ接続による協聴を開始させる（ステップＳＦ１０）。
【産業上の利用可能性】
【０１７９】
以上のように、本発明にかかる共視聴利用者推薦システムおよび共視聴利用者推薦方法は、情報通信産業分野など産業上の様々な分野において有用であり、特に、インターネットコミュニティ分野に有用である。
【図面の簡単な説明】
【０１８０】
【図１】本実施の形態の概要を示す図
【図２】本システムにおける端末装置へのＣＭ配信の一例を示す図
【図３】出力装置にて表示されるＣＭの一例を示す図
【図４】本システムにおける視聴率提供の一例を示す図
【図５】本システムにより提供されるビジネスモデルの一例を示す図
【図６】本システムにより提供される出会い系サービスの一例を示す図
【図７】本システムにより提供されるテレビ電話サービスの一例を示す図
【図８】本システムの論理構成の一例を示すブロック図
【図９】個人情報ＤＢに記憶されている個人情報の一例を示す図
【図１０】コンテンツ関連情報ＤＢに記憶されているコンテンツ関連情報の一例を示す図
【図１１】視聴履歴ＤＢに記憶されている視聴履歴の一例を示す図
【図１２】本システムにおけるデータベースの連関の一例を示す図
【図１３】本システムにおけるマッチング処理の一例を示す図
【図１４】ＥＰＧ  ＤＢに記憶されている電子番組表の一例を示す図
【図１５】本システムの共視聴利用者推薦システムの構成の一例を示すブロック図
【図１６】本システムの共視聴利用者推薦システムの構成の一例を示すブロック図
【図１７】本システムで行われる共視聴利用者推薦処理の一例を示すシーケンス図
【図１８】本システムで行われる端末の使用状況確認処理の一例を示す図
【図１９】出力画面の一例を示す図
【図２０】本システムで行われる同期視聴要求の処理の一例を示す図
【図２１】本システムで行われる共視聴利用者推薦処理の一例を示すシーケンス図
【図２２】本システムで行われる共視聴利用者推薦処理の一例を示すシーケンス図
【図２３】本システムで行われる共視聴利用者推薦処理の一例を示すシーケンス図
【図２４】本システムで行われる共視聴利用者推薦処理の一例を示すシーケンス図
【符号の説明】
【０１８１】
１０    センター装置
１２    制御部
１２ａ    視聴要求受信部
１２ｂ    端末装置選択部
１２ｃ    検索部
１２ｄ    確認部
１２ｅ    順位付け部
１２ｆ    検索結果送信部
１２ｇ    選択結果受信部
１２ｈ    特定部
１２ｉ    同期視聴要求送信部
１４    通信制御インターフェース部
１６    記憶部
１６ａ    個人情報ＤＢ
１６ｂ    コンテンツ関連情報ＤＢ
１６ｃ    視聴履歴ＤＢ
２０    端末装置
２２    制御部
２２ａ    電子番組表検索処理部
２２ｂ    視聴要求送信部
２２ｃ    検索結果受信部
２２ｄ    検索結果出力部
２２ｅ    選択結果送信部
２２ｆ    同期視聴要求受信部
２２ｇ    同期視聴要求出力部
２２ｈ    出力配信部
２２ｉ    コンテンツ格納部
２４    通信制御インターフェース部
２６    記憶部
２６ａ    コンテンツＤＢ
２７    入力部
２８    出力装置
３０    ネットワーク
４０    ＥＰＧサービス装置
４２    制御部
４４    通信制御インターフェース部
４６    ＥＰＧ  ＤＢ
【図１】
2010093691.tif 000003
【図２】
2010093691.tif 000004
【図３】
2010093691.tif 000005
【図４】
2010093691.tif 000006
【図５】
2010093691.tif 000007
【図６】
2010093691.tif 000008
【図７】
2010093691.tif 000009
【図８】
2010093691.tif 000010
【図９】
2010093691.tif 000011
【図１０】
2010093691.tif 000012
【図１１】
2010093691.tif 000013
【図１２】
2010093691.tif 000014
【図１３】
2010093691.tif 000015
【図１４】
2010093691.tif 000016
【図１５】
2010093691.tif 000017
【図１６】
2010093691.tif 000018
【図１７】
2010093691.tif 000019
【図１８】
2010093691.tif 000020
【図１９】
2010093691.tif 000021
【図２０】
2010093691.tif 000022
【図２１】
2010093691.tif 000023
【図２２】
2010093691.tif 000024
【図２３】
2010093691.tif 000025
【図２４】
2010093691.tif 000026